(57)【要約】本願は、情報指示方法、端末デバイス、及びネットワークデバイスを開示する。方法は、端末デバイスによって、ネットワークデバイスから、第１サブキャリアの番号、第１サブキャリアの絶対無線周波数チャネル番号、若しくは第１周波数のうちの１つを含む周波数位置情報、又は第１バンド幅、第２サブキャリア数、第１リソースブロック数、若しくは第２リソースブロックビットマップのうちの１つを含むバンド幅情報のうちの少なくとも１つを示す指示情報を受け取ることと、端末デバイスによって、指示情報に基づいて、リザーブされるべきリソースである第１リソースを決定することとを含む。本願に従って、システムにおいてリザーブされる必要があるリソースの決定された位置の信頼性は、改善される。
2021503813.tif 000002
【特許請求の範囲】
【請求項１】
情報指示方法であって、
端末デバイスによってネットワークデバイスから指示情報を受け取ることであり、該指示情報は、周波数位置情報又はバンド幅情報のうちの少なくとも１つを示し、前記周波数位置情報は、第１サブキャリアの番号、該第１サブキャリアの絶対無線周波数チャネル番号、又は第１周波数のうちの１つを有し、前記バンド幅情報は、第１バンド幅、第２サブキャリア数、第１リソースブロック数、又は第２リソースブロックビットマップのうちの１つを有する、前記受け取ることと、
前記端末デバイスによって前記指示情報に基づいて第１リソースを決定することであり、該第１リソースは、第２システムのリザーブされるべきリソースであり、該リザーブされるリソースは、第１システムがリファレンス信号を送るリソース位置で前記第２システムにおいてリザーブされるリソースであり、前記端末デバイスは、前記第１システム及び前記第２システムにアクセスする、前記決定することと
を有する方法。
【請求項２】
前記方法は、前記端末デバイスによって前記周波数位置情報に基づいて前記第１サブキャリアの位置を決定することを更に有し、
第１周波数領域範囲で決定される前記第１リソースと、第２周波数領域範囲で決定されるそれとは、リソースブロックにおいて異なった位置を有し、あるいは、
第１周波数領域範囲で決定される前記第１リソースに含まれる第３サブキャリアの番号と、第２周波数領域範囲で決定される前記第１リソースに含まれる第４サブキャリアの番号とは、前記第３サブキャリアの番号を３で除することによって求められる残りが、前記第４サブキャリアの番号を３で除することによって求められる残りと等しくないこと、又は前記第３サブキャリアの番号を３で除することによって求められる残りと、前記第４サブキャリアの番号を３で除することによって求められる残りとの間に１の差があることを満足し、かつ、
前記第１周波数領域範囲は、第２バンド幅の中にあり前記第１サブキャリアの位置での周波数よりも低い周波数を有し、前記第２周波数領域範囲は、前記第２バンド幅の中にあり前記第１サブキャリアの位置での周波数よりも高い周波数を有し、前記第２バンド幅は、前記バンド幅情報に基づいて決定される、
請求項１に記載の方法。
【請求項３】
前記指示情報は、第１情報を更に示し、該第１情報は、前記第１リソースによって占有される直交周波数分割多重化ＯＦＤＭシンボルの番号を有し、該番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝を有する、
請求項２に記載の方法。
【請求項４】
前記指示情報は、第２情報を更に示し、該第２情報は、リソースブロックにおいて前記第１リソースによって占有されるサブキャリアの番号を有する、
請求項２又は３に記載の方法。
【請求項５】
前記指示情報は、第３情報を更に示し、該第３情報は、周波数シフトと、リソースブロックにおいて第２リソースによって占有される周波数領域リソースに関する情報とを有し、該周波数領域リソース情報は、サブキャリア数及びサブキャリア番号のうちの少なくとも１つを有する、
請求項２又は３に記載の方法。
【請求項６】
前記指示情報は、第４指示情報を更に示し、該第４指示情報は、アンテナポート情報及び周波数シフトを有する、
請求項１乃至３のうちいずれか一項に記載の方法。
【請求項７】
前記指示情報は、第５情報を更に示し、該第５情報は、周波数シフトと、リソースブロックにおいて前記第１リソースによって占有される周波数領域リソースに関する情報とを有し、該周波数領域リソース情報は、サブキャリア数及びサブキャリア番号のうちの少なくとも１つを有する、
請求項２又は３に記載の方法。
【請求項８】
前記第１サブキャリアの番号は、前記第２システムにあって前記第１システムの中心サブキャリアに対応するサブキャリアの番号であり、前記第１バンド幅は、前記第１システムのバンド幅である、
請求項１乃至７のうちいずれか一項に記載の方法。
【請求項９】
前記第１リソースは、前記第１システムにおけるセル固有リファレンス信号ＣＲＳのために前記第２システムにおいてリザーブされるべきリソースである、
請求項１乃至８のうちいずれか一項に記載の方法。
【請求項１０】
前記第１システムはＬＴＥシステムであり、前記第２システムはＮＲシステムである、
請求項１乃至９に記載の方法。
【請求項１１】
情報指示方法であって、
ネットワークデバイスによって指示情報を生成することであり、該指示情報は、周波数位置情報又はバンド幅情報のうちの少なくとも１つを示し、前記周波数位置情報は、第１サブキャリアの番号、該第１サブキャリアの絶対無線周波数チャネル番号、又は第１周波数のうちの１つを有し、前記バンド幅情報は、第１バンド幅、第２サブキャリア数、第１リソースブロック数、又は第２リソースブロックビットマップのうちの１つを有する、前記生成することと、
前記ネットワークデバイスによって前記指示情報を端末デバイスへ送ることであり、該指示情報は、前記端末デバイスによってアクセスされる第２システムのリザーブされるリソースを決定するために使用され、該リザーブされるリソースは、第１システムがリファレンス信号を送るリソース位置で前記第２システムにおいてリザーブされるリソースであり、前記端末デバイスは、前記第１システム及び前記第２システムにアクセスする、前記送ることと
を有する方法。
【請求項１２】
前記指示情報は、第１情報を更に示し、該第１情報は、前記第１リソースによって占有される直交周波数分割多重化ＯＦＤＭシンボルの番号を有し、該番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝を有する、
請求項１１に記載の方法。
【請求項１３】
前記指示情報は、第２情報を更に示し、該第２情報は、リソースブロックにおいて前記第１リソースによって占有されるサブキャリアの番号を有する、
請求項１１又は１２に記載の方法。
【請求項１４】
前記指示情報は、第３情報を更に示し、該第３情報は、周波数シフトと、リソースブロックにおいて第２リソースによって占有される周波数領域リソースに関する情報とを有し、該周波数領域リソース情報は、サブキャリア数及びサブキャリア番号のうちの少なくとも１つを有する、
請求項１１又は１２に記載の方法。
【請求項１５】
前記指示情報は、第４指示情報を更に示し、該第４指示情報は、アンテナポート情報及び周波数シフトを有する、
請求項１１又は１２に記載の方法。
【請求項１６】
前記指示情報は、第５情報を更に示し、該第５情報は、周波数シフトと、リソースブロックにおいて前記第１リソースによって占有される周波数領域リソースに関する情報とを有し、該周波数領域リソース情報は、サブキャリア数及びサブキャリア番号のうちの少なくとも１つを有する、
請求項１２又は１３に記載の方法。
【請求項１７】
前記第１サブキャリアの番号は、前記第２システムにあって前記第１システムの中心サブキャリアに対応するサブキャリアの番号であり、前記第１バンド幅は、前記第１システムのバンド幅である、
請求項１１乃至１６のうちいずれか一項に記載の方法。
【請求項１８】
前記第１リソースは、前記第１システムにおけるセル固有リファレンス信号ＣＲＳのために前記第２システムにおいてリザーブされるべきリソースである、
請求項１１乃至１７のうちいずれか一項に記載の方法。
【請求項１９】
前記第１システムはＬＴＥシステムであり、前記第２システムはＮＲシステムである、
請求項１１乃至１８のうちいずれか一項に記載の方法。
【請求項２０】
端末デバイスであって、
通信ユニット及び処理ユニットを有し、
前記通信ユニットは、ネットワークデバイスから指示情報を受け取るよう構成され、該指示情報は、周波数位置情報又はバンド幅情報のうちの少なくとも１つを示し、前記周波数位置情報は、第１サブキャリアの番号、該第１サブキャリアの絶対無線周波数チャネル番号、又は第１周波数のうちの１つを有し、前記バンド幅情報は、第１バンド幅、第２サブキャリア数、第１リソースブロック数、又は第２リソースブロックビットマップのうちの１つを有し、
前記処理ユニットは、前記指示情報に基づいて第１リソースを決定するよう構成され、該第１リソースは、第２システムのリザーブされるべきリソースであり、該リザーブされるリソースは、第１システムがリファレンス信号を送るリソース位置で前記第２システムにおいてリザーブされるリソースであり、前記端末デバイスは、前記第１システム及び前記第２システムにアクセスする、
端末デバイス。
【請求項２１】
前記処理ユニットは、前記周波数位置情報に基づいて前記第１サブキャリアの位置を決定するよう更に構成され、
第１周波数領域範囲で決定される前記第１リソースと、第２周波数領域範囲で決定されるそれとは、リソースブロックにおいて異なった位置を有し、あるいは、
第１周波数領域範囲で決定される前記第１リソースに含まれる第３サブキャリアの番号と、第２周波数領域範囲で決定される前記第１リソースに含まれる第４サブキャリアの番号とは、前記第３サブキャリアの番号を３で除することによって求められる残りが、前記第４サブキャリアの番号を３で除することによって求められる残りと等しくないこと、又は前記第３サブキャリアの番号を３で除することによって求められる残りと、前記第４サブキャリアの番号を３で除することによって求められる残りとの間に１の差があることを満足し、かつ、
前記第１周波数領域範囲は、第２バンド幅の中にあり前記第１サブキャリアの位置での周波数よりも低い周波数を有し、前記第２周波数領域範囲は、前記第２バンド幅の中にあり前記第１サブキャリアの位置での周波数よりも高い周波数を有し、前記第２バンド幅は、前記バンド幅情報に基づいて決定される、
請求項２０に記載の端末デバイス。
【請求項２２】
前記指示情報は、第１情報を更に示し、該第１情報は、前記第１リソースによって占有される直交周波数分割多重化ＯＦＤＭシンボルの番号を有し、該番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝を有する、
請求項２１に記載の端末デバイス。
【請求項２３】
前記指示情報は、第２情報を更に示し、該第２情報は、リソースブロックにおいて前記第１リソースによって占有されるサブキャリアの番号を有する、
請求項２１又は２２に記載の端末デバイス。
【請求項２４】
前記指示情報は、第３情報を更に示し、該第３情報は、周波数シフトと、リソースブロックにおいて第２リソースによって占有される周波数領域リソースに関する情報とを有し、該周波数領域リソース情報は、サブキャリア数及びサブキャリア番号のうちの少なくとも１つを有する、
請求項２１又は２２に記載の端末デバイス。
【請求項２５】
前記指示情報は、第４指示情報を更に示し、該第４指示情報は、アンテナポート情報及び周波数シフトを有する、
請求項２０乃至２２のうちいずれか一項に記載の端末デバイス。
【請求項２６】
前記指示情報は、第５情報を更に示し、該第５情報は、周波数シフトと、リソースブロックにおいて前記第１リソースによって占有される周波数領域リソースに関する情報とを有し、該周波数領域リソース情報は、サブキャリア数及びサブキャリア番号のうちの少なくとも１つを有する、
請求項２１又は２２に記載の端末デバイス。
【請求項２７】
前記第１サブキャリアの番号は、前記第２システムにあって前記第１システムの中心サブキャリアに対応するサブキャリアの番号であり、前記第１バンド幅は、前記第１システムのバンド幅である、
請求項２０乃至２６のうちいずれか一項に記載の端末デバイス。
【請求項２８】
前記第１リソースは、前記第１システムにおけるセル固有リファレンス信号ＣＲＳのために前記第２システムにおいてリザーブされるべきリソースである、
請求項２０乃至２７のうちいずれか一項に記載の端末デバイス。
【請求項２９】
前記第１システムはＬＴＥシステムであり、前記第２システムはＮＲシステムである、
請求項２０乃至２８のうちいずれか一項に記載の端末デバイス。
【請求項３０】
ネットワークデバイスであって、
処理ユニット及び通信ユニットを有し、
前記処理ユニットは、指示情報を生成するよう構成され、該指示情報は、周波数位置情報又はバンド幅情報のうちの少なくとも１つを示し、前記周波数位置情報は、第１サブキャリアの番号、該第１サブキャリアの絶対無線周波数チャネル番号、又は第１周波数のうちの１つを有し、前記バンド幅情報は、第１バンド幅、第２サブキャリア数、第１リソースブロック数、又は第２リソースブロックビットマップのうちの１つを有し、
前記通信ユニットは、前記指示情報を端末デバイスへ送るよう構成され、該指示情報は、前記端末デバイスによってアクセスされる第２システムのリザーブされるリソースを決定するために使用され、該リザーブされるリソースは、第１システムがリファレンス信号を送るリソース位置で前記第２システムにおいてリザーブされるリソースであり、前記端末デバイスは、前記第１システム及び前記第２システムにアクセスする、
ネットワークデバイス。
【請求項３１】
前記指示情報は、第１情報を更に示し、該第１情報は、前記第１リソースによって占有される直交周波数分割多重化ＯＦＤＭシンボルの番号を有し、該番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝を有する、
請求項３０に記載のネットワークデバイス。
【請求項３２】
前記指示情報は、第２情報を更に示し、該第２情報は、リソースブロックにおいて前記第１リソースによって占有されるサブキャリアの番号を有する、
請求項３０又は３１に記載のネットワークデバイス。
【請求項３３】
前記指示情報は、第３情報を更に示し、該第３情報は、周波数シフトと、リソースブロックにおいて第２リソースによって占有される周波数領域リソースに関する情報とを有し、該周波数領域リソース情報は、サブキャリア数及びサブキャリア番号のうちの少なくとも１つを有する、
請求項３０又は３１に記載のネットワークデバイス。
【請求項３４】
前記指示情報は、第４指示情報を更に示し、該第４指示情報は、アンテナポート情報及び周波数シフトを有する、
請求項３０又は３１に記載のネットワークデバイス。
【請求項３５】
前記指示情報は、第５情報を更に示し、該第５情報は、周波数シフトと、リソースブロックにおいて前記第１リソースによって占有される周波数領域リソースに関する情報とを有し、該周波数領域リソース情報は、サブキャリア数及びサブキャリア番号のうちの少なくとも１つを有する、
請求項３０又は３１に記載のネットワークデバイス。
【請求項３６】
前記第１サブキャリアの番号は、前記第２システムにあって前記第１システムの中心サブキャリアに対応するサブキャリアの番号であり、前記第１バンド幅は、前記第１システムのバンド幅である、
請求項３０乃至３５のうちいずれか一項に記載のネットワークデバイス。
【請求項３７】
前記第１リソースは、前記第１システムにおけるセル固有リファレンス信号ＣＲＳのために前記第２システムにおいてリザーブされるべきリソースである、
請求項３０乃至３５のうちいずれか一項に記載のネットワークデバイス。
【請求項３８】
前記第１システムはＬＴＥシステムであり、前記第２システムはＮＲシステムである、
請求項３０乃至３７のうちいずれか一項に記載のネットワークデバイス。
【請求項３９】
プロセッサ、トランシーバ、及びメモリを有し、
前記メモリは、命令を記憶し、
前記命令を読み出し実行するときに、前記プロセッサは、請求項１乃至１０のうちいずれか一項に記載の方法を実行する、
端末デバイス。
【請求項４０】
プロセッサ、トランシーバ、及びメモリを有し、
前記メモリは、命令を記憶し、
前記命令を読み出し実行するときに、前記プロセッサは、請求項１１乃至１９のうちいずれか一項に記載の方法を実行する、
ネットワークデバイス。
【請求項４１】
コンピュータ可読命令を有し、
コンピュータが前記コンピュータ可読命令を読み出し実行するときに、前記コンピュータは、請求項１乃至１９のうちいずれか一項に記載の方法を実行する、
コンピュータ記憶媒体。
【請求項４２】
請求項２０乃至２９のうちいずれか一項に記載の端末デバイスと、
請求項３０乃至３８のうちいずれか一項に記載のネットワークデバイスと
を有する通信ネットワークシステム。
【発明の詳細な説明】
【技術分野】
【０００１】
本願は、通信技術の分野に、特に、情報指示方法、端末デバイス、及びネットワークデバイスに関係がある。
【背景技術】
【０００２】
無線通信技術の継続的な発展とともに、ロング・ターム・エボリューション（Long  term  evolution，略してＬＴＥ）及び第５世代移動体通信ネットワーク（The  fifth-generation  mobile  networks，略して５Ｇ）ニュー・ラジオ（New  radio  interface，略してＮＲ）は、６ＧＨｚよりも低い周波数バンドで展開され得る。ＬＴＥ及び５Ｇ  ＮＲが両方とも展開されるシナリオでは、ＬＴＥとＮＲとの間に信号干渉が存在する可能性がある。例えば、ＮＲでのデータ伝送は、ＬＴＥでのリファレンス信号、例えば、セル固有リファレンス信号（Cell-specific  Reference  Signal，略してＣＲＳ）又はチャネル状態情報リファレンス信号（Channel  State  Information  Reference  Signal，略してＣＳＩ−ＲＳ）との干渉を引き起こす可能性がある。ＬＴＥシステムが従来のＬＴＥユーザにサービスを提供し得ることを確かにするために、端末デバイスは、ＬＴＥでのリファレンス信号に対応する位置でＮＲリソースをリザーブ（reserving）する必要がある。例えば、サブキャリア間隔（Subcarrier  Spacing，略してＳＣＳ）が１５ｋＨｚであるＮＲの物理ダウンリンク共有チャネル（Physical  downlink  shared  channel，略してＰＤＳＣＨ）について、端末デバイスは、ＬＴＥ  ＣＲＳのリソース位置に対応するＮＲリソースをリザーブし得る。ＬＴＥシステムでのダウンリンクＣＲＳがＮＲシステムでのダウンリンクデータ信号と干渉するという問題を解決するために、リザーブされるべきリソースの位置は、周波数シフトＶｓｈｉｆｔ（cell-specific  frequency  shift）及びＣＲＳのアンテナポート数（CRS  antenna  port(s)）を使用することによって示され得る。
【０００３】
しかし、ＬＴＥダウンリンク上で使用される周波数の中心サブキャリアは、直流サブキャリア（Direct-Current  subcarrier，略してＤＣサブキャリア）であり、直流サブキャリアは、情報伝送のためには使用されない。結果として、ＬＴＥ中心サブキャリアに対応するＮＲサブキャリアの両側でのリソースブロック（Resource  Block，略してＲＢ）のアライメント位置は、ＬＴＥシステム及びＮＲシステムのダウンリンク共有周波数部分において異なる。図１に示されるように、ＬＴＥ及びＮＲのＲＢは、ＬＴＥ中心サブキャリアの左側にあるＬＴＥ及びＮＲの共有周波数バンドでは全体として整列されると考えられる。ＬＴＥ中心サブキャリアに対応するＮＲサブキャリアの右側では、ＬＴＥ中心サブキャリアは、情報伝送のために使用されないＤＣサブキャリアである。すなわち、ＬＴＥ中心サブキャリアは、ＲＢサブキャリアとしてカウントされないが、ＬＴＥ中心サブキャリアに対応するＮＲサブキャリアは、ＮＲにおけるＲＢサブキャリアとしてカウントされる。そのため、ＮＲにおけるＲＢの位置は、ＬＴＥにおけるＲＢの位置と比較して変化し、ＬＴＥ  ＣＲＳに対応するＮＲにおける周波数領域リソース位置のアライメント状態は、ＬＴＥ中心サブキャリアに対応するＮＲサブキャリアの左側及び右側で異なり、すなわち、左側及び右側でのサブキャリアシフトは異なる。左側でのサブキャリアの周波数は、右側でのサブキャリアの周波数よりも低い。そのため、端末デバイスは、周波数シフトＶｓｈｉｆｔ及びＣＲＳのアンテナポート数に基づくだけでは、ＮＲシステムでリザーブされる必要があるリソースの位置を正確に決定することができない。
【発明の概要】
【０００４】
本発明の実施形態は、システムにおいてリザーブされる必要があるリソースの決定された位置の信頼性を改善するように、情報指示方法、端末デバイス、及びネットワークデバイスを提供する。
【０００５】
一態様に従って、本発明の実施形態は、端末デバイスによってネットワークデバイスから指示情報を受け取り、指示情報に基づいて第１リソースを決定することを含む情報指示方法を提供する。指示情報は、周波数位置情報又はバンド幅情報のうちの少なくとも１つを示してよく、周波数位置情報は、第１サブキャリアの番号、第１サブキャリアの絶対無線周波数チャネル番号、又は第１周波数を含んでよく、第１リソースは、リザーブされるべきリソースである。任意に、第１リソースは、第２システムのリザーブされるべきリソースであってよく、リザーブされるべきリソースは、第１システムがリファレンス信号を送るリソース位置で第２システムにおいてリザーブされるリソースであってよく、端末デバイスは、第１システム及び第２システムにアクセスする。従って、次の問題が解決され得る：リソースブロックにおけるリファレンス信号の相対位置は、中心サブキャリアによって引き起こされるリソースシフト現象のために、中心サブキャリアの左側及び右側で一致せず、すなわち、リソースブロックにおいてリザーブされる必要があるリソースの位置は、中心サブキャリアの左側及び右側で一致しない。これは、システムにおいてリザーブされる必要があるリソースの決定された位置の信頼性を改善する。
【０００６】
可能な設計において、第１サブキャリアの番号は、ＮＲシステムのような第２システムのサブキャリアの番号であってよく、ＬＴＥシステムのような第１システムの中心サブキャリアに対応し、第１周波数は、ＬＴＥ中心サブキャリアの周波数であってよい。従って、端末デバイスは、周波数位置情報に基づいて第１サブキャリアの位置を決定し得る。
【０００７】
可能な設計において、バンド幅情報は、第１バンド幅、第２サブキャリア数、第１リソースブロック数、及び第２リソースブロックビットマップのうちの１つを含んでよい。第１バンド幅は、ＬＴＥのような第１システムのバンド幅（又はインデックスｉｎｄｅｘ）であってよい。第２サブキャリア数は、ＬＴＥのような第１システムのバンド幅に対応するサブキャリア数（又はインデックス）であってよい。第１リソースブロック数は、ＬＴＥのような第１システムのバンド幅に対応するＲＢ数（又はインデックス）であってよい。第２リソースブロックビットマップは、ＮＲのような第２システムのバンド幅部分（Bandwidth  part，略してＢＷＰ）のようなバンド幅に対応するＲＢビットマップであってよい。代替的に、バンド幅情報は、第１リソース単位の第１位置情報、第２リソース単位の第２位置情報、第１リソース単位の数、又は第２リソース単位の数のうちの少なくとも２つを含んでよい。第１リソース単位及び第２リソース単位は、同じであっても又は異なってもよい。例えば、第１リソース単位及び／又は第２リソース単位は、ＲＢ、サブキャリア、又はそのようなものであってよい。すなわち、指示情報は更に、システムの共有周波数の開始サブキャリア又はＲＢの位置（例えば、番号）と、システムの共有周波数の終了サブキャリア又はＲＢの位置とを含んでも、あるいは、システムの共有周波数の開始サブキャリア又はＲＢの位置と、サブキャリア又はＲＢの数とを含んでも、あるいは、システムの共有周波数の終了サブキャリア又はＲＢの位置と、サブキャリア又はＲＢの数とを含んでもよい。従って、端末デバイスは、バンド幅情報に基づいて、システムの共有周波数（共通に使用される周波数）、例えば、ＬＴＥ及びＮＲの共有周波数を決定し得る。
【０００８】
可能な設計において、端末デバイスは、第１サブキャリアの位置を決定し、例えば、指示情報によって示される周波数位置情報に基づいて第１サブキャリアの位置を決定してよい。第１周波数領域範囲で決定される第１リソースと、第２周波数領域範囲で決定されるそれとは、リソースブロックにおいて異なった位置を有する。第１周波数領域範囲は、第２バンド幅の中にあり第１サブキャリアの位置での周波数よりも低い周波数を含み、第２周波数領域範囲は、第２バンド幅の中にあり第１サブキャリアの位置での周波数よりも高い周波数を含む。任意に、第２バンド幅は、ＬＴＥ及びＮＲのようなシステムの共有周波数であってよく、第２バンド幅は、バンド幅情報に基づいて決定されてよく、あるいは、デフォルト規則に従って決定されてよい（例えば、第２バンド幅はＢＷＰ全体である）。
【０００９】
可能な設計において、第１周波数領域範囲で決定される第１リソースに含まれる第３サブキャリアの番号と、第２周波数領域範囲で決定される前記第１リソースに含まれる第４サブキャリアの番号とは、次を満足する：第３サブキャリアの番号を３で除することによって求められる残りは、第４サブキャリアの番号を３で除することによって求められる残りと等しくないか、あるいは、第３サブキャリアの番号を３で除することによって求められる残りと、第４サブキャリアの番号を３で除することによって求められる残りとの間には、１の差がある。第１周波数領域範囲は、第２バンド幅の中にあり第１サブキャリアの位置での周波数よりも低い周波数を含み、第２周波数領域範囲は、第２バンド幅の中にあり第１サブキャリアの位置での周波数よりも高い周波数を含む。第３サブキャリアは、第１周波数領域範囲内の第１リソースに対応する如何なるサブキャリアであってもよく、第４サブキャリアは、第２周波数領域範囲内の第１リソースに対応する如何なるサブキャリアであってもよい。
【００１０】
可能な設計において、第１サブキャリアの位置が、リソースがリザーブされる必要があるシステム、すなわち、ＮＲのような第２システム、のＢＷＰのようなダウンリンクバンド幅の範囲内にある場合には、第２バンド幅の開始サブキャリア、すなわち、共有周波数から、第２システムにおける第１サブキャリアまでの範囲、すなわち、第１周波数領域範囲、の中で決定される第１リソースと、第１サブキャリアから第２システムにおける第２バンド幅の終了サブキャリアまでの範囲、すなわち、第２周波数領域範囲、の中で決定される第１リソースとは、リソースブロックにおいて異なる位置を有する。例えば、ＲＢにおけるサブキャリア番号は異なる。すなわち、シフトが存在する。代替的に、第１周波数領域範囲及び第２周波数領域範囲において第１リソースを決定する方法は異なる。代替的に、第１周波数領域範囲において決定される第１リソースに含まれる第３サブキャリアの番号と、第２周波数領域範囲において決定される第１リソースに含まれる第４サブキャリアの番号とは、次を満足する：第３サブキャリアの番号を３で除することによって求められる残りは、第４サブキャリアの番号を３で除することによって求められる残りと等しくないか、あるいは、第３サブキャリアの番号を３で除することによって求められる残りと、第４サブキャリアの番号を３で除することによって求められる残りとの間には、１の差がある。任意に、第１サブキャリアが、第２システムによって使用されるダウンリンクバンド幅の範囲の外にある場合には、第１リソースを決定する方法は、第１周波数領域範囲において第１リソースを決定する方法と同じであってよく、あるいは、ＲＢにおけるサブキャリア番号は同じであり、あるいは、第１周波数領域範囲において決定される第１リソースに含まれる第３サブキャリアの番号と、第２周波数領域範囲において決定される第１リソースに含まれる第４サブキャリアの番号とは、次を満足する：第３サブキャリアの番号を３で除することによって求められる残りは、第４サブキャリアの番号を３で除することによって求められる残りと等しいか、あるいは、第３サブキャリアの番号を３で除することによって求められる残りと、第４サブキャリアの番号を３で除することによって求められる残りとの間には、０の差がある。
【００１１】
可能な設計において、指示情報は、第１情報を更に示してよく、第１情報は、時間領域位置に関する情報、例えば、第１リソースによって占有される直交周波数分割多重化（Orthogonal  Frequency  Division  Multiplexing，略してＯＦＤＭ）シンボルの番号を含んでよい。例えば、番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝であってよい（あるいは、時間領域位置情報は、番号セットのインデックスであってよい）。詳細は、ここで記載されない。従って、端末デバイスは、指示情報に基づいて、リザーブされる必要がある第１リソースの時間領域位置を更に決定し、時間領域位置に基づいて第１リソースを更に決定し得る。
【００１２】
可能な設計において、指示情報は、第２情報を更に示してよく、第２情報は、リソースブロックにおいて第１リソースによって占有される周波数領域リソースに関する情報、例えば、サブキャリア番号（又は番号セットのインデックス）を含んでよい。従って、端末デバイスは、リソースブロックにおいて第１リソースによって占有される周波数領域リソースに関する情報、例えば、サブキャリア番号に基づいて第１リソースの周波数領域位置情報を決定し、第１リソースの周波数領域位置情報と第１サブキャリアの位置との間の関係に基づいて異なるエリアにおける第１リソースの実際の位置を決定し得る。
【００１３】
可能な設計において、指示情報は、第３情報を更に示してよく、第３情報は、周波数シフトと、リソースブロックにおいて第２リソースによって占有されるリソースに関する情報とを含んでよく、リソース情報は、サブキャリア数（又は数量インデックス）及びサブキャリア番号（又は番号セットのインデックス）のうちの少なくとも１つを含んでよい。従って、端末デバイスは、リソースブロックにおいて第２リソースによって占有されるリソースに関する情報、周波数シフト、サブキャリアの位置、及びバンド幅情報などの情報に基づいて、異なるエリアにおける第１リソースの実際の位置を決定し得る。第２リソースは、プレースホルダーリソース、すなわち、リソース位置が第２システムのような他のシステムでリザーブされる必要があるリソースであってよい。例えば、第２リソースは、第１システムにおけるリファンレス信号、例えば、ＬＴＥ  ＣＲＳであってよい。
【００１４】
可能な設計において、指示情報は、第４指示情報を更に示してよく、第４指示情報は、アンテナポート情報及び周波数シフトを含んでよい。従って、端末デバイスは、アンテナポート数（又はポート数のインデックス）のようなアンテナポート情報、周波数シフト、第１サブキャリアの位置、及び共有周波数などの情報に基づいて、異なるエリアにおける第１リソースの実際の位置を決定し得る。
【００１５】
可能な設計において、指示情報は、第５情報を更に示し、第５情報は、周波数シフトと、リソースブロックにおいて第１リソースによって占有されるリソースに関する情報とを含んでよく、リソース情報は、サブキャリア数（又は数量インデックス）及びサブキャリア番号（又は番号セットのインデックス）のうちの少なくとも１つを含んでよい。従って、端末デバイスは、リソースブロックにおいて第１リソースによって占有されるリソースに関する情報、周波数シフト、第１サブキャリアの位置、及び共有周波数などの情報に基づいて、異なるエリアにおける第１リソースの実際の位置を決定し得る。
【００１６】
可能な設計において、周波数位置情報、バンド幅情報、第１リソースによって占有されるＯＦＤＭシンボルの番号、リソースブロックにおいて第１リソースによって占有される周波数領域リソースに関する情報、リソースブロックにおいて第２リソースによって占有される周波数領域リソースに関する情報、周波数シフト、及びアンテナポート情報のうちの１つ以上は、事前設定されてよい。
【００１７】
可能な設計において、第１サブキャリアの番号は、第２システムにあって第１システムの中心サブキャリアに対応するサブキャリアの番号であり、第１バンド幅は、第１システムのバンド幅である。
【００１８】
可能な設計において、第１リソースは、第１システムにおけるＣＲＳのようなリファレンス信号のために第２システムにおいてリザーブされるべきリソースである。
【００１９】
可能な設計において、第１システムはＬＴＥシステムであり、前記第２システムはＮＲシステムである。
【００２０】
他の態様に従って、本発明の実施形態は、ネットワークデバイスによって指示情報を生成し、指示情報を端末デバイスへ送って、端末デバイスが指示情報を受け取り、指示情報に基づいて、リザーブされる必要がある第１リソースを決定し得るようにすることを含む情報指示方法を更に提供する。任意に、指示情報は、端末デバイスによってアクセスされる第２システムのリザーブされるべきリソースを決定するために使用され、リザーブされるべきリソースは、第１システムがリファレンス信号を送るリソース位置で第２システムにおいてリザーブされるべきリソースであり、端末デバイスは、第１システム及び第２システムにアクセスする。これは、システムにおいてリザーブされる必要があるリソースの決定された位置の信頼性を改善する。
【００２１】
指示情報は、周波数位置情報又はバンド幅情報のうちの少なくとも１つを示してよく、周波数位置情報は、第１サブキャリアの番号、第１サブキャリアの絶対無線周波数チャネル番号、又は第１周波数を含んでよい。
【００２２】
可能な設計において、第１サブキャリアの番号は、ＮＲシステムのような第２システムのサブキャリアの番号であってよく、ＬＴＥシステムのような第１システムの中心サブキャリアに対応し、第１周波数は、ＬＴＥ中心サブキャリアの周波数であってよい。ネットワークデバイスは、周波数位置情報を示すので、端末デバイスは、周波数位置情報に基づいて第１サブキャリアの位置を決定し得る。
【００２３】
可能な設計において、バンド幅情報は、第１バンド幅、第２サブキャリア数、第１リソースブロック数、及び第２リソースブロックビットマップのうちの１つを含んでよい。第１バンド幅は、ＬＴＥのような第１システムのバンド幅（又はバンド幅インデックス）であってよい。第２サブキャリア数は、ＬＴＥのような第１システムのバンド幅に対応するサブキャリア数（又はインデックスｉｎｄｅｘ）であってよい。第１リソースブロック数は、ＬＴＥのような第１システムのバンド幅に対応するＲＢ数（又は数量インデックス）であってよい。第２リソースブロックビットマップは、ＮＲのような第２システムのＢＷＰのようなバンド幅に対応するＲＢビットマップであってよい。代替的に、バンド幅情報は、第１リソース単位の第１位置情報、第２リソース単位の第２位置情報、第１リソース単位の数、又は第２リソース単位の数のうちの少なくとも２つを含んでよい。第１リソース単位及び第２リソース単位は、同じであっても又は異なってもよい。例えば、第１リソース単位及び／又は第２リソース単位は、ＲＢ、サブキャリア、又はそのようなものであってよい。ネットワークデバイスは、バンド幅情報を示すので、端末デバイスは、バンド幅情報に基づいて、システムの共有周波数（共通に使用される周波数）、例えば、ＬＴＥ及びＮＲの共有周波数を決定し得る。
【００２４】
可能な設計において、指示情報は、第１情報を更に示してよく、第１情報は、時間領域位置に関する情報、例えば、第１リソースによって占有されるＯＦＤＭシンボルの番号を含んでよい。例えば、ＯＦＤＭシンボルの番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝（あるいは、番号セットのインデックス）であってよい。詳細は、ここで記載されない。ネットワークデバイスは、ＯＦＤＭシンボルの番号を示し、それにより、端末デバイスは、指示情報に基づいて、リザーブされる必要がある第１リソースの時間領域位置を更に決定し、時間領域位置に基づいて第１リソースを更に決定し得る。
【００２５】
可能な設計において、指示情報は、第２情報を更に示してよく、第２情報は、リソースブロックにおいて第１リソースによって占有される周波数領域リソースに関する情報、例えば、サブキャリア番号（又は番号セットのインデックス）を含んでよい。ネットワークデバイスは、リソースブロックにおいて第１リソースによって占有される周波数領域リソースに関する情報、例えば、サブキャリア番号（又は番号セットのインデックス）を示し、それにより、端末デバイスは、リソースブロックにおいて第１リソースによって占有されるサブキャリアの番号に基づいて第１リソースの周波数領域位置情報を決定し、第１リソースの周波数領域位置情報、第１サブキャリアの位置、バンド幅情報などに基づいて、異なるエリアにおける第１リソースの実際の位置を更に決定し得る。
【００２６】
可能な設計において、指示情報は、第３情報を更に示してよく、第３情報は、周波数シフトと、リソースブロックにおいて第２リソースによって占有される周波数領域リソースに関する情報とを含んでよく、周波数領域リソース情報は、サブキャリア数（又は数量インデックス）及びサブキャリア番号（又は番号セットのインデックス）のうちの少なくとも１つを含んでよい。ネットワークデバイスは、リソースブロックにおいて第２リソースによって占有される周波数領域リソースに関する情報と、周波数シフトとを示し、それにより、端末デバイスは、リソースブロックにおいて第２リソースによって占有される周波数領域リソースに関する情報、周波数シフト、第１サブキャリアの位置、及びバンド幅情報などの情報に基づいて、異なるエリアにおける第１リソースの実際の位置を決定し得る。第２リソースは、プレースホルダーリソース、すなわち、リソース位置が第２システムのような他のシステムでリザーブされる必要があるリソースであってよい。例えば、第２リソースは、第１システムにおけるリファンレス信号、例えば、ＬＴＥ  ＣＲＳであってよい。
【００２７】
可能な設計において、指示情報は、第４指示情報を更に示してよく、第４指示情報は、アンテナポート情報及び周波数シフトを含んでよい。ネットワークデバイスは、アンテナポート情報及び周波数シフトを示し、それにより、端末デバイスは、アンテナポート数（又はポート数のインデックス）のようなアンテナポート情報、周波数シフト、第１サブキャリアの位置、及び共有周波数などの情報に基づいて、異なるエリアにおける第１リソースの実際の位置を決定し得る。
【００２８】
可能な設計において、指示情報は、第５情報を更に示し、第５情報は、リソースブロックにおいて第１リソースによって占有される周波数領域リソースに関する情報と、周波数シフトとを含んでよく、周波数領域リソース情報は、サブキャリア数（又は数量インデックス）及びサブキャリア番号（又は番号セットのインデックス）のうちの少なくとも１つを含んでよい。ネットワークデバイスは、リソースブロックにおいて第１リソースによって占有される周波数領域リソースに関する情報と、周波数シフトとを示し、それにより、端末デバイスは、リソースブロックにおいて第１リソースによって占有される周波数領域リソースに関する情報、周波数シフト、第１サブキャリアの位置、及び共有周波数などの情報に基づいて、異なるエリアにおける第１リソースの実際の位置を決定し得る。
【００２９】
可能な設計において、第１サブキャリアの番号は、第２システムにあって第１システムの中心サブキャリアに対応するサブキャリアの番号であり、第１バンド幅は、第１システムのバンド幅である。
【００３０】
可能な設計において、第１リソースは、第１システムにおけるＣＲＳのようなリファレンス信号のために第２システムにおいてリザーブされるべきリソースである。
【００３１】
可能な設計において、第１システムはＬＴＥシステムであり、第２システムはＮＲシステムである。
【００３２】
更なる他の態様に従って、本発明の実施形態は、端末デバイスを更に提供する。端末デバイスは、上記の方法の例における端末デバイスの挙動を実装する機能を備える。機能は、ハードウェアによって実装されてよく、あるいは、対応するソフトウェアを実行するハードウェアによって実装されてよい。ハードウェア又はソフトウェアは、上記の機能に対応する１つ以上のユニット又はモジュールを含む。
【００３３】
可能な設計において、端末デバイスの構造は、処理ユニット及び通信ユニットを含む。処理ユニットは、上記の方法における対応する機能を実行することにおいて端末デバイスを支援するよう構成される。通信ユニットは、ネットワークデバイスのような他のデバイスと通信することにおいて端末デバイスを支援するよう構成される。端末デバイスは、記憶ユニットを更に含んでもよい。記憶ユニットは、処理ユニットへ結合され、記憶ユニットは、端末デバイスにとって必要であるプログラム命令及びデータを記憶している。例えば、処理ユニットは、プロセッサであってよく、通信ユニットは、トランシーバであってよく、記憶ユニットは、メモリであってよい。
【００３４】
更なる他の態様に従って、本発明の実施形態は、ネットワークデバイスを更に提供する。ネットワークデバイスは、上記の方法の例におけるネットワークデバイスの挙動を実装する機能を備える。機能は、ハードウェアによって実装されてよく、あるいは、対応するソフトウェアを実行するハードウェアによって実装されてよい。ハードウェア又はソフトウェアは、上記の機能に対応する１つ以上のユニット又はモジュールを含む。
【００３５】
可能な設計において、ネットワークデバイスの構造は、処理ユニット及び通信ユニットを含む。処理ユニットは、上記の方法における対応する機能を実行することにおいてネットワークデバイスを支援するよう構成される。通信ユニットは、端末デバイスのような他のデバイスと通信することにおいてネットワークデバイスを支援するよう構成される。ネットワークデバイスは、記憶ユニットを更に含んでもよい。記憶ユニットは、処理ユニットへ結合され、記憶ユニットは、ネットワークデバイスにとって必要であるプログラム命令及びデータを記憶している。例えば、処理ユニットは、プロセッサであってよく、通信ユニットは、トランシーバであってよく、記憶ユニットは、メモリであってよい。
【００３６】
更なる他の態様に従って、本発明の実施形態は、通信システムを提供し、システムは、上記の態様における端末デバイス及び／又はネットワークデバイスを含む。他の可能な設計において、システムは、本発明の実施形態で提供される解決法における端末デバイス又はネットワークデバイスと相互作用する他のデバイスを更に含んでもよい。
【００３７】
更なる他の態様に従って、本発明の実施形態は、上記の端末デバイスによって使用されるコンピュータソフトウェア命令を記憶するよう構成されたコンピュータ記憶媒体を提供する。コンピュータ記憶媒体は、上記の態様を実行するために設計されたプログラムを含む。
【００３８】
更なる他の態様に従って、本発明の実施形態は、上記のネットワークデバイスによって使用されるコンピュータソフトウェア命令を記憶するよう構成されたコンピュータ記憶媒体を提供する。コンピュータ記憶媒体は、上記の態様を実行するために設計されたプログラムを含む。
【００３９】
更なる他の態様に従って、本願は、命令を含むコンピュータプログラム製品を更に提供する。命令がコンピュータで実行されるとき、コンピュータは、上記の態様における方法を実行する。
【００４０】
更なる他の態様に従って、本願は、チップシステムを提供し、チップシステムは、上記の態様における機能を実装するために、例えば、上記の方法におけるデータ及び／又は情報を処理するために端末デバイスによって使用されるプロセッサを含む。可能な設計において、チップシステムは、メモリを更に含む。メモリは、端末デバイスにとって必要であるプログラム命令及びデータを記憶するよう構成される。チップシステムは、チップを含んでよく、あるいは、チップ及び他のディスクリートデバイスを含んでよい。
【００４１】
更なる他の態様に従って、本願は、チップシステムを提供し、チップシステムは、上記の態様における機能を実装すること、例えば、上記の方法におけるデータ及び／又は情報を生成することにおいてネットワークデバイスを支援するために使用されるプロセッサを含む。可能な設計において、チップシステムは、メモリを更に含む。メモリは、ネットワークデバイスにとって必要であるプログラム命令及びデータを記憶するよう構成される。チップシステムは、チップを含んでよく、あるいは、チップ及び他のディスクリートデバイスを含んでよい。
【００４２】
先行技術と比較して、本発明の実施形態で提供される解決法では、ネットワークデバイスは、ＬＴＥのような第１システムにおけるＣＲＳのようなリファレンス信号のためにＮＲのような第２システムでリザーブされる必要があるサブキャリアの位置情報を示すために、周波数位置情報及び／又はバンド幅情報を含む指示情報を生成してよく、それにより、端末デバイスは、周波数位置情報に基づいて中心サブキャリアの位置を決定しかつ／あるいはバンド幅情報に基づいてＬＴＥ及びＮＲの共有周波数を決定し、更には、中心サブキャリアの位置及び共有周波数などの情報に基づいて、異なるエリアにおいてリザーブされる必要があるリソースの位置を決定し、それによって、リソースブロックにおけるＣＲＳの相対位置が、中心サブキャリアによって引き起こされるリソースシフト現象のためにＬＴＥ中心サブキャリアの左側及び右側で一致しないという、すなわち、リソースブロックにおいてリザーブされる必要があるリソースの位置が中心サブキャリアの左側及び右側で一致しないという問題を解決し得る。これは、システムにおいてリザーブされる必要があるリソースの決定された位置の信頼性を改善する。
【００４３】
本発明の実施形態における又は背景における技術的解決法についてより明瞭に説明するために、以下は、本発明又は背景の実施形態を記載するために必要とされる添付の図面について簡単に説明する。
【図面の簡単な説明】
【００４４】
【図１】ＬＴＥ及びＮＲにおけるリソースリザベーションシナリオの概略図である。
【図２】本発明の実施形態に従う通信システムの適用シナリオの図である。
【図３】本発明の実施形態に従う情報指示方法の相互作用の概略図である。
【図４】本発明の実施形態に従う他の情報指示方法の相互作用の概略図である。
【図５】本発明の実施形態に従う、ＬＴＥ中心サブキャリアの位置とＢＷＰとの間の位置関係の概略図である。
【図６】本発明の実施形態に従って第１リソースが決定されるシナリオの概略図である。
【図７】本発明の実施形態に従う更なる他の情報指示方法の相互作用の概略図である。
【図８】本発明の実施形態に従う更なる他の情報指示方法の相互作用の概略図である。
【図９】本発明の実施形態に従う更なる他の情報指示方法の相互作用の概略図である。
【図１０】本発明の実施形態に従う端末デバイスの略構造図である。
【図１１】本発明の実施形態に従う他の端末デバイスの略構造図である。
【図１２】本発明の実施形態に従う更なる他の端末デバイスの略構造図である。
【図１３】本発明の実施形態に従うネットワークデバイスの略構造図である。
【図１４】本発明の実施形態に従う他のネットワークデバイスの略構造図である。
【図１５】本発明の実施形態に従う更なる他のネットワークデバイスの略構造図である。
【発明を実施するための形態】
【００４５】
以下は、本発明の実施形態における添付の図面を参照して、本発明の実施形態について説明する。
【００４６】
本願の技術的解決法は、様々な通信ネットワーク、例えば、グローバル・システム・フォー・モバイル・コミュニケーションズ（Global  system  for  mobile  communications，略してＧＳＭ）、符号分割多重アクセス（Code  Division  Multiple  Access，略してＣＤＭＡ）、広帯域符号分割多重アクセス（Wideband  Code  Division  Multiple  Access，略してＷＣＤＭＡ）、時分割同期符号分割多重アクセス（Time  Division-Synchronous  Code  Division  Multiple  Access，略してＴＤ−ＳＣＤＭＡ）、ユニバーサル・モバイル・テレコミュニケーションズ・システム（Universal  Mobile  Telecommunications  System，略してＵＭＴＳ）、及びロング・ターム・エボリューション（Long  Term  Evolution，略してＬＴＥ）ネットワークに特に適用されてよい。通信技術の継続的な発展とともに、本願の技術的解決法は、ニュー・ラジオ（New  Radio，略してＮＲ）と呼ばれることがある５Ｇネットワークなどの将来のネットワークに更に適用されてよく、あるいは、Ｄ２Ｄ（device  to  device）ネットワーク、Ｍ２Ｍ（machine  to  machine）ネットワーク、又はそのようなものに適用されてよい。
【００４７】
本願において、ネットワークデバイスは、情報を送信及び受信するために使用されるネットワーク側エンティティであってよく、例えば、基地局であってよく、あるいは、送信ポイント（Transmission  Point，略してＴＰ）、送信及び受信ポイント（transmission  and  receiver  point，略してＴＲＰ）、リレーデバイス、又は基地局機能を備えた他のネットワークデバイスであってよい。
【００４８】
本願において、端末デバイスは、通信機能を備えたデバイスであり、端末と呼ばれることがある。端末デバイスは、手持ち式デバイス、車載デバイス、装着型デバイス、若しくは無線通信機能を備えたコンピューティングデバイス、無線モデムへ接続された他の処理デバイス、又はそのようなものを含んでよい。端末デバイスは、異なるネットワークでは異なる名称、例えば、端末、ユーザ機器（User  Equipment，略してＵＥ）、移動局、加入者ユニット、局、携帯電話機、パーソナル・デジタル・アシスタント、無線モデム、無線通信デバイス、手持ち式デバイス、ラップトップコンピュータ、コードレス電話機、及び無線ローカルループ局、を有する可能性がある。端末デバイスは、無線端末又は有線端末であってよい。無線端末は、ユーザに音声及び／又はデータ接続性を提供するデバイス、無線接続機能を備えた手持ち式デバイス、あるいは、無線モデムに接続された他の処理デバイスであってよく、有線端末は、無線アクセスネットワーク（ＲＡＮ，radio  access  network）を使用することによって１つ以上のコアネットワークと通信してよい。
【００４９】
本願において、基地局は、基地局デバイスとも呼ばれることがあり、無線通信機能を提供するように無線アクセスネットワークに配置されるデバイスである。基地局は、異なる無線アクセスシステムでは異なる名称を有することがある。例えば、基地局は、ユニバーサル・モバイル・テレコミュニケーションズ・システムＵＭＴＳネットワークではノードＢ（NodeB）と呼ばれ、基地局は、ＬＴＥネットワークではエボルブド・ノードＢ（evolved  NodeB，略してｅＮＢ又はｅＮｏｄｅＢ）と呼ばれ、基地局は、将来の５Ｇシステムでは送信及び受信ポイント（Transmission  Reception  Point，略してＴＲＰ）、ネットワークノード、又はｇＮｏｄｅＢ（g-NodeB，ｇＮＢ）と呼ばれ得る。詳細は、ここで記載されない。
【００５０】
以下は、本願の適用シナリオについて説明する。図２は、本発明の実施形態に従う通信システムの概略図である。図２に示されるように、通信システムは、端末デバイス及びネットワークデバイスを含んでよく、端末デバイス及びネットワークデバイスは、通信システムを使用することによって互いと通信してよい。複数の通信システムが共在するシナリオでは、１つのシステム（例えば、第２システム）は、干渉を回避するために、他のシステム（例えば、第１システム）が特定のタイプの信号を送信するリソース位置でリソースをリザーブする必要があり得る。例えば、ＬＴＥシステム及び５Ｇ  ＮＲシステムが共在し、スペクトルリソースを共有するシナリオでは、ＮＲシステムは、ＬＴＥシステムがＣＲＳ又はＣＳＩ−ＲＳなどのリファレンス信号を送信するサブキャリア位置でダウンリンク上のリソースをリザーブする必要があり、言い換えると、レートマッチング（rate-matching）を実行する必要がある。ネットワークデバイスは、リザベーション／レートマッチングを実行するために端末デバイスによって使用されるリソース位置情報、例えば、ＬＴＥシステムにおけるＣＲＳのために端末デバイスによってリザーブされる必要があるサブキャリアの位置情報、を示すために指示情報を送ってよい。
【００５１】
その上、いくつかのシナリオで、端末デバイスは、周波数シフトＶｓｈｉｆｔ及びＣＲＳのアンテナポート数に基づくだけでは、ＮＲシステムでリザーブされる必要があるリソースの位置を正確に決定することができない。例えば、ＬＴＥシステム及びＮＲシステムが両方とも１５ｋＨｚのサブキャリア間隔（Subcarrier  Spacing，略してＳＣＳ）を使用するとき、ＬＴＥシステム及びＮＲシステムにおけるサブキャリア位置は整列される。しかし、ＬＴＥシステムのダウンリンク上で使用される周波数の中心サブキャリアが情報伝送のためには使用されないので、ＬＴＥシステムの中心サブキャリアに対応するＮＲシステムのサブキャリアの両側で、ＮＲシステムのサブキャリアとＬＴＥシステムのサブキャリアとの間の対応において一方のサブキャリアのシフトが存在する。従って、ＬＴＥ中心サブキャリアの位置（周波数）に基づいて、ＮＲシステムでリザーブされる必要があるリソースの位置は、中心サブキャリアの周波数の両側で異なり、例えば、シフトが異なる可能性があり、あるいは、ＮＲシステムでリザーブされる必要があるリソースは、リソースブロックにおいて異なる番号を有する。代替的に、第１周波数領域範囲において決定される第１リソースに含まれる第３サブキャリアの番号と、第２周波数領域範囲で決定される第１リソースに含まれる第４サブキャリアの番号とは、次を満足する：第３サブキャリアの番号を３で除することによって求められる残りは、第４サブキャリアの番号を３で除することによって求められる残りと等しくないか、あるいは、第３サブキャリアの番号を３で除することによって求められる残りと、第４サブキャリアの番号を３で除することによって求められる残りとの間には、１の差があり、すなわち、残りは異なる。従って、システムにおいてリザーブされる必要があるリソースの決定された位置の信頼性を改善するために、ネットワークデバイスは、差についての指示情報を生成する必要があり、それにより、端末デバイスは、指示情報に基づいて、異なるエリアにおいてリザーブされる必要があるリソースの位置を決定し得る。以下は、第１リソース、すなわち、リザーブされる必要があるリソースが、中心サブキャリアの周波数（すなわち、第１サブキャリアの周波数又は第１サブキャリアの位置）の両側で異なる位置を有する場合について具体的に説明する。
【００５２】
本願において、アンテナポート数、サブキャリア数、番号、又はバンド幅などの情報を示すことは、特定の値を示すことであってよく、あるいは、値に対応するインデックスを示すことであってよく、これは、本願において制限されない。
【００５３】
本願において、リソースをリザーブすることは、そのリソースにおいて信号が送信及び／又は受信されないことを意味し、信号は、データ信号、リファレンス信号、制御信号などを含む。
【００５４】
本願において、サブキャリアの位置は、サブキャリアに対応する周波数であってよく、周波数位置又は位置周波数と呼ばれることがあり、これは、本願において制限されない。
【００５５】
本願において、リソースが同じ周波数位置で異なるシステムに存在することは、リソースが異なるシステムにおいて整列されていることを意味し得る。例えば、ＲＢアライメントは、同じ周波数位置での２つのシステムのＲＢの開始位置（例えば、開始サブキャリア）が整列されることを意味し得る。例えば、サブキャリアアライメントは、サブキャリアが同じ周波数位置で２つのシステムに存在することを意味し得る。
【００５６】
本願において、サブキャリア（の位置）がＢＷＰのようなバンド幅の中にあることは、サブキャリアの周波数がＢＷＰの周波数範囲内に収まること、すなわち、ＢＷＰの周波数範囲がサブキャリアの周波数を含むことを意味し得る。相応して、サブキャリア（の位置）がＢＷＰの外にあることは、サブキャリアの周波数がＢＷＰの周波数範囲の外にあること、すなわち、ＢＷＰの周波数範囲がサブキャリアの周波数を含まないことを意味し得る。
【００５７】
本願において、共有周波数は、複数のシステムによって使用され得る周波数であってよい。例えば、ＬＴＥ及びＮＲによって使用され得る周波数は、ＬＴＥ及びＮＲの共有周波数と呼ばれ得る。
【００５８】
本願において、リソースブロックＲＢは、物理リソースブロック、すなわち、ＢＷＰ全体に対するＲＢであってよい。あるいは、リソースブロックは、キャリアリソースブロック、すなわち、バンド幅全体に対するＲＢであってよく、これは、本願において制限されない。
【００５９】
本願は、システムにおいてリザーブされる必要があるリソースの決定された位置の信頼性改善する情報指示方法、端末デバイス、及びネットワークデバイスを開示する。詳細は、以下のとおりに別途記載される。
【００６０】
図３は、本発明の実施形態に従う情報指示方法の相互作用の概略図である。具体的に、図３に示されるように、本発明のこの実施形態における情報指示方法は、次のステップを含んでよい。
【００６１】
３０１．ネットワークデバイスは、指示情報を生成し、このとき、指示情報は、周波数位置情報及び／又はバンド幅情報を示す。
【００６２】
任意に、周波数位置情報は、第１サブキャリアの番号、第１サブキャリアのＥＡＲＦＣＮ（E-UTRAN  Absolute  Radio  Frequency  Channel  Number）のような絶対無線周波数チャネル番号、又は第１周波数のうちの１つを含んでよい。第１サブキャリアの番号は、ＮＲシステムのような第２システムのサブキャリアの番号であってよく、ＬＴＥシステムのような第１システムの中心サブキャリアに対応し、第１周波数は、ＬＴＥ中心サブキャリアの周波数であってよい。従って、端末デバイスは、周波数位置情報に基づいて第１サブキャリアの位置（周波数）を決定し得る。
【００６３】
任意に、バンド幅情報は、第１バンド幅、第２サブキャリア数、第１リソースブロック数、又は第２リソースブロックビットマップのうちの１つを含んでよい。第１バンド幅は、ＬＴＥのような第１システムのバンド幅（又はインデックス）であってよく、第２サブキャリア数は、ＬＴＥのような第１システムのバンド幅に対応するサブキャリア数（又はインデックス）であってよく、第１リソースブロック数は、ＬＴＥのような第１システムのバンド幅に対応するＲＢ数（又はインデックスｉｎｄｅｘ）であってよく、第２リソースブロックビットマップは、ＮＲのような第２システムのバンド幅に対応するＲＢビットマップであってよい。すなわち、バンド幅情報は、ＬＴＥ及びＮＲのようなシステムの共有周波数（すなわち、共通して使用される周波数）を暗に示してよく、それにより、端末デバイスは、バンド幅情報に基づいて、システムの共有周波数、例えば、ＬＴＥ及びＮＲの共有周波数を決定し得る。更に、バンド幅情報が、ＲＢビットマップのようなリソースブロックビットマップを含む場合に、共有周波数の開始ＲＢは整列される必要がある。
【００６４】
代替的に、バンド幅情報は、第１リソース単位の第１位置情報、第２リソース単位の第２位置情報、第１リソース単位の数、又は第２リソース単位の数のうちの少なくとも２つを含んでよい。第１リソース単位及び第２リソース単位は、同じであっても又は異なってもよい。例えば、第１リソース単位及び／又は第２リソース単位は、ＲＢ、サブキャリア、又はそのようなものであってよく、これは、本願において制限されない。すなわち、指示情報は更に、システムの共有周波数の開始サブキャリア又はＲＢの位置（例えば、番号）と、システムの共有周波数の終了サブキャリア又はＲＢの位置とを含んでも、あるいは、システムの共有周波数の開始サブキャリア又はＲＢの位置と、サブキャリア又はＲＢの数とを含んでも、あるいは、システムの共有周波数の終了サブキャリア又はＲＢの位置と、サブキャリア又はＲＢの数とを含んでもよい。すなわち、バンド幅情報は、ＬＴＥ及びＮＲのようなシステムの共有周波数を明示的に示してよく、それにより、端末デバイスは、バンド幅情報に基づいて、システムの共有周波数、例えば、ＬＴＥ及びＮＲの共有周波数を決定し得る。
【００６５】
任意に、周波数位置情報又はバンド幅情報は、代替的に、事前設定されてもよい。
【００６６】
３０２．ネットワークデバイスは、指示情報を端末デバイスへ送る。
【００６７】
３０３．端末デバイスは、指示情報に基づいて第１リソースを決定する。
【００６８】
任意に、指示情報は、周波数位置情報を示してよい。端末デバイスは、周波数位置情報に基づいて第１サブキャリアの位置を更に決定してよい。代替的に、端末デバイスは、デフォルトでセットされる周波数位置情報に基づいて第１サブキャリアの位置を決定してよい。第１サブキャリアの位置は、第１サブキャリアの番号、絶対無線周波数チャネル番号、又は周波数であってよい。第１周波数領域範囲で決定される第１リソースと、第２周波数領域範囲で決定されるそれとは、リソースブロックにおいて異なる位置を有する（例えば、第１周波数領域範囲において決定される第１リソースに含まれる第３サブキャリアの番号と、第２周波数領域範囲で決定される第１リソースに含まれる第４サブキャリアの番号とは、次を満足する：第３サブキャリアの番号を３で除することによって求められる残りは、第４サブキャリアの番号を３で除することによって求められる残りと等しくないか、あるいは、第３サブキャリアの番号を３で除することによって求められる残りと、第４サブキャリアの番号を３で除することによって求められる残りとの間には、１の差があり、詳細は、以下で再び記載されない）。第１周波数領域範囲は、第２バンド幅、すなわち、共有周波数の中にあって第１サブキャリアの位置での周波数よりも低い周波数を含み、第２周波数領域範囲は、第２バンド幅の中にあって第１サブキャリアの位置での周波数よりも高い周波数を含み、第２バンド幅は、バンド幅情報に基づいて決定される。すなわち、ＲＢのようなリソースブロックにおける決定された第１リソースの位置（番号、シフト、又はそのようなもの）は、中心サブキャリアに対応するＮＲシステムのような第２システムのサブキャリアの左側及び右側で異なり、第１リソースは、同じ位置（番号、シフト、又はそのようなもの）に基づいて決定されない。これは、決定されたリザーブされるべきリソースの信頼性を改善する。
【００６９】
更に任意に、指示情報は、第１情報を更に示してよく、第１情報は、時間領域位置に関する情報、例えば、第１リソースによって占有されるＯＦＤＭシンボルの番号を含んでよい。例えば、番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝であってよい。詳細は、ここで記載されない。すなわち、端末デバイスは、指示情報に基づいて、リザーブされる必要がある第１リソースの時間領域位置を更に決定し、時間領域位置と、周波数位置情報及び／又はバンド幅情報のような情報に基づいて決定される周波数領域位置とに基づいて、第１リソースを更に決定し得る。
【００７０】
任意に、ネットワークデバイスが指示情報を端末デバイスへ送った後、端末デバイスは、ネットワークデバイスから指示情報を受け取り、指示情報に基づいて第１リソースを更に決定してよく、このとき、第１リソースは、リザーブされるべきリソースである。すなわち、第１リソースは、リザーブされる必要があるリソースである。リザーブされるべきリソースは、リソース上で信号が伝送されないことを意味する。
【００７１】
例えば、第１システムはＬＴＥであり、第２システムはＮＲである。指示情報は、周波数位置情報を示し、それにより、端末デバイスは、周波数位置情報に基づいて、第１サブキャリアの位置又はＬＴＥ中心サブキャリアの位置、例えば、中心サブキャリアの周波数若しくは絶対無線周波数チャネル番号、又は中心サブキャリアに対応するＮＲのサブキャリアの番号を決定し得る。更に、共有周波数に関する情報及び第１リソースの位置を示す情報といった他の情報は、デフォルトでセットされてよく、あるいは、設定されなくても良い。第１リソースの周波数領域位置を示す情報は、周波数シフト及びアンテナポート数、リソースブロックにおいて第１リソースによって占有される周波数領域リソースに関する情報及び周波数シフト、リソースブロックにおいて第１リソースによって占有されるサブキャリアの番号、リソースブロックにおいて第２リソースによって占有される周波数領域リソースに関する情報及び周波数シフト、又はそのようなものを含んでよい。第２リソースは、第１システムにおけるリファレンス信号、例えば、ＬＴＥ  ＣＲＳであってよい。例えば、端末デバイスは、（例えば、ＬＴＥのバンド幅がＮＲシステムのＢＷＰ以上であり、ＮＲ  ＢＷＰの周波数領域位置がＬＴＥのバンド幅の中にあるシナリオにおいて）ＮＲのＢＷＰ全体を共有周波数として使用してよい。アンテナポート数は。デフォルトで｛１，２，４｝の中のいずれか１つ、例えば４にセットされ、周波数シフトは、デフォルトで１から６の中のいずれか１つ、例えば０にセットされる。更に任意に、指示情報は、第１リソースの時間領域位置情報、例えば、ＯＦＤＭシンボルの番号を更に示してよく、あるいは、時間領域位置情報は、デフォルトでセットされてよく、それにより、端末デバイスは、周波数位置情報及び時間領域位置情報に基づいて第１リソースを決定し得る。リソースブロックにおける第１リソースの位置は、ＢＷＰ範囲全体のような共有周波数内の中心サブキャリアの位置の左側及び右側で異なる。
【００７２】
本願において、位置（例えば、第１サブキャリアの位置又は中心サブキャリアの位置）の左側及び右側でのリソースの位置が異なることは、ＲＢにおけるリソースのサブキャリア番号が左側及び右側で異なることであってよく、あるいは、第１リソースを決定する方法が左側及び右側で異なることであってよい。例えば、周波数シフトが左側に対応する周波数シフトである場合に、右側にある第１リソースは、１つのサブキャリアに対応する周波数が周波数シフトに加えられるか、あるいは、１がサブキャリア番号に加えられるようにして決定され、左側では、第１リソースは、依然として元のシフト又は元のサブキャリア番号に基づいて決定される。相応して、周波数シフトが右側に対応する周波数シフトである場合に、右側にある第１リソースは、元のシフト又は元のサブキャリア番号に基づいて決定され、左側にある第１リソースは、１つのサブキャリアに対応する周波数が周波数シフトから減じられるか、又は１がサブキャリア番号から減じられるようにして決定される。左側は、位置（例えば、中心サブキャリアの位置）での周波数よりも低い周波数を指し、右側は、位置での周波数よりも高い周波数を指す。詳細は、以下で再び記載されない。すなわち、本願において、指示情報によって示される周波数シフト（又はデフォルトでセットされる周波数シフト）は、左側での周波数シフトであってよく、あるいは、右側での周波数シフトであってよい。具体的に、周波数シフトが左側でのシフト又は右側でのシフトであるかどうかは、デフォルトでセットされてよく、あるいは、ネットワークデバイスによって端末デバイスに通知されてよい。これは、本願において制限されない。
【００７３】
他の例として、指示情報は、バンド幅情報を示し、それにより、端末デバイスは、バンド幅情報に基づいてＬＴＥ及びＮＲの共有周波数を決定し得る。更に、周波数位置情報及び第１リソースの位置を示す情報といった他の情報は、デフォルトでセットされてよく、あるいは、設定されなくてもよい。例えば、ＬＴＥ中心サブキャリアに対応するＮＲのサブキャリアがＮＲ  ＢＷＰの外にあること、すなわち、ＬＴＥ中心サブキャリアの周波数がＢＷＰの周波数範囲の外にあることは、デフォルトでセットされてよく、あるいは、−１などの特別の値が周波数位置情報のために設定される。この場合に、端末デバイスは、デフォルトでセットされ第１リソースの位置を示す情報に基づいて、第１リソースを決定し得る。共有周波数全体で、各リソースブロックにおける第１リソースの位置（各ＲＢにおける第１リソースのサブキャリア番号の組）は同じである。代替的に、ＬＴＥ中心サブキャリアに対応するＮＲのサブキャリアがＮＲ  ＢＷＰの中心位置に位置することは、デフォルトでセットされ、この場合に、端末デバイスは、デフォルトでセットされ第１リソースの位置及び中心位置を示す情報に基づいて、第１リソースを決定し得る。第１リソースの位置は、中心位置の左側及び右側で異なる。更に任意に、指示情報は、第１リソースの時間領域位置情報、例えば、ＯＦＤＭシンボルの番号を更に示してよく、あるいは、時間領域位置情報は、デフォルトでセットされてよく、それにより、端末デバイスは、バンド幅情報及び時間領域位置情報に基づいて、第１リソースを決定し得る。
【００７４】
更なる他の例として、指示情報は、周波数位置情報及びバンド幅情報を示し、それにより、端末デバイスは、周波数位置情報に基づいて、ＮＲにおけるＬＴＥ中心サブキャリアの位置、すなわち、第１サブキャリアの位置を決定し、かつ、バンド幅情報に基づいて、ＬＴＥ及びＮＲの共有周波数を決定し得る。更に、第１リソースの位置を示す情報といった他の情報は、デフォルトでセットされてよい。この場合に、端末デバイスは、周波数位置情報及びバンド幅情報に基づいて第１リソースを決定し得る。共有周波数の範囲内の第１リソースの位置は、中心サブキャリアの位置の左側及び右側で異なる。更に任意に、指示情報は、第１リソースの時間領域位置情報、例えば、ＯＦＤＭシンボルの番号を更に示してよく、あるいは、時間領域位置情報は、デフォルトでセットされてよく、それにより、端末デバイスは、周波数位置情報、バンド幅情報、及び時間領域位置情報に基づいて第１リソースを決定し得る。
【００７５】
更に任意に、端末デバイスは更に、リソースブロックのサブキャリアパターン情報、例えば、リソースブロックにおいて第１リソースによって占有されるサブキャリアの番号、を含む第２情報、リソースブロックのサブキャリアパターン情報、例えば、リソースブロックにおいて第２リソースによって占有される周波数領域リソースに関する情報及び周波数シフト、を含む第３情報、アンテナポート情報及び周波数シフトを含む第４情報、リソースブロックにおいて第１リソースによって占有される周波数領域リソースに関する情報及び周波数シフトを含む第５情報、又はそのようなものに基づいて、すなわち、第１リソースの位置を示す情報に基づいて、リザーブされる必要があるリソースの位置を決定し、すなわち、第１リソースを決定し得る。周波数領域リソース情報は、サブキャリア数（又はインデックス）及びサブキャリア番号（又はインデックス）のうちの少なくとも１つを含み、第２リソースは、第１システムにおけるリファレンス信号、例えば、ＬＴＥ  ＣＲＳ又はＣＳＩ−ＲＳであってよい。
【００７６】
例えば、指示情報は、周波数位置情報及び第１リソースの位置を示す情報、例えば、第２情報、第３情報、第４情報、又は第５情報を示してよい。例えば、ＬＴＥのバンド幅がＮＲシステムのＢＷＰ以上であり、ＮＲ  ＢＷＰの周波数領域位置がＬＴＥの周波数領域バンド幅の中にあるシナリオでは、共有周波数はＢＷＰであり、端末デバイスは、周波数位置情報及び第１リソースの位置を示す情報に基づいて、第１リソースを決定し得る。他の例として、指示情報は、バンド幅情報及び第１リソースの位置を示す情報、例えば、第２情報、第３情報、又は第４情報を示してよい。例えば、周波数位置情報が設定されないか、あるいは、−１のような特別の値であるシナリオでは、端末デバイスは、バンド幅情報及び第１リソースの位置を示す情報に基づいて、第１リソースを決定し得る。更に任意に、指示情報は、第１リソースの時間領域位置、例えば、ＯＦＤＭシンボルの番号を更に示してよい。詳細は、ここで記載されない。
【００７７】
本発明のこの実施形態で、ネットワークデバイスは、周波数位置情報及び／又はバンド幅情報のような情報を含む指示情報に基づいて、ＬＴＥシステムにおけるＣＲＳのためにＮＲシステムでリザーブされる必要があるサブキャリアの位置情報を示してよく、それにより、端末デバイスは、周波数位置情報に基づいて中心サブキャリアの位置を決定し、かつ／あるいは、バンド幅情報に基づいてＬＴＥ及びＮＲの共有周波数を決定し、更には、中心サブキャリアの位置及び共有周波数のような情報に基づいて、異なるエリアにおいてリザーブされる必要があるリソースの位置を決定することができ、それによって、ＲＢにおけるＣＲＳの相対位置が、中心サブキャリアによって引き起こされるリソースシフト現象のためにＬＴＥ中心サブキャリアの左側及び右側で一致しない、という問題を解決する。これは、システムにおいてリザーブされる必要があるリソースの決定された位置の信頼性を改善する。
【００７８】
図４は、本発明の実施形態に従う他の情報指示方法の相互作用の概略図である。具体的に、図４に示されるように、本発明のこの実施形態における情報指示方法は、次のステップを含んでよい。
【００７９】
４０１．ネットワークデバイスは、指示情報を生成し、このとき、指示情報は、周波数位置情報と、バンド幅情報と、第１リソースによって占有されるＯＦＤＭシンボルの番号と、周波数シフトと、リソースブロックにおいて第１リソースによって占有される周波数領域リソースに関する情報とを示す。
【００８０】
４０２．ネットワークデバイスは、指示情報を端末デバイスへ送る。
【００８１】
本願において、ＢＷＰなどのＮＲバンド幅に対して第１サブキャリアの位置（又はＬＴＥ中心サブキャリアの位置）について次のいくつかの場合がある：第１サブキャリアの位置がＮＲ  ＢＷＰの中にある、及び第１サブキャリアの位置がＮＲ  ＢＷＰの外にある。図５に示されるように、第１サブキャリアの位置がＮＲ  ＢＷＰの中にある場合に、２つのシナリオがある：場合１（ＬＴＥ  ＢＷがＮＲ  ＢＷＰに含まれる）及び場合２（ＬＴＥ  ＢＷが部分的にＮＲ  ＢＷＰに重なり、ＬＴＥ中心サブキャリアの周波数又は第１サブキャリアの周波数がＮＲ  ＢＷＰの中にある）。場合２は、場合２ａ及び場合２ｂに更に分けられる。第１サブキャリアの位置がＮＲ  ＢＷＰの外にある場合に、１つのシナリオがある：場合３（ＬＴＥ  ＢＷが部分的にＮＲ  ＢＷＰに重なり、ＬＴＥ中心サブキャリアの周波数又は第１サブキャリアの周波数がＮＲ  ＢＷＰの外にある）。場合３は、２つの場合に更に分けられる：場合３ａ及び場合３ｂ。
【００８２】
任意に、周波数位置情報は、第１サブキャリアの位置情報であってよく、例えば、第１サブキャリア（例えば、ＬＴＥ中心サブキャリアに対応するＮＲシステムのサブキャリア）の番号、第１サブキャリアに対応する絶対無線周波数チャネル番号、又は第１サブキャリアの周波数、すなわち、第１周波数を含んでよい。例えば、第１サブキャリアがＢＷＰの中にある場合に、周波数位置情報は、第１サブキャリアの番号を含んでよい。第１サブキャリアがＢＷＰの外にある場合に、第１サブキャリアは、ＢＷＰにおけるサブキャリア番号に対応することができない。この場合に、周波数位置情報のフィールドは、空であるようセットされてよく（設定されなくてよく）、あるいは、−１などのデフォルト値がフィールドに設定されてもよい。代替的に、第１サブキャリアの番号は、バンド幅全体におけるサブキャリア番号であるが、ＢＷＰにおけるサブキャリア番号ではない。例えば、ＢＷＰは０から７１（サブキャリア）であり、周波数位置情報は、第１サブキャリアがＢＷＰの外にあることを示すよう７６（又は０から７１の範囲外の任意の他の値）として示されてよい。
【００８３】
任意に、バンド幅情報は、ＬＴＥのバンド幅値を含んでよく、例えば、｛１．４，３，５，１０，１５，２０｝ＭＨｚの中の１つを使用することによって示される。代替的に、バンド幅情報はＲＢ数を含んでよく、例えば、｛６，１５，２５，５０，７５，１００｝ＲＢの中の１つを使用することによって示される。代替的に、バンド幅情報はサブキャリア数を含んでよく、例えば、｛７２，１８０，３００，６００，９００，１２００｝サブキャリアの中の１つを使用することによって示される。代替的に、バンド幅情報は、指示のために上記３つの値の中の１つのインデックスを含んでよい。ＬＴＥシステムのバンド幅は６つのタイプしかないので、ＬＴＥシステムのバンド幅を示す方法は、指示情報のために使用される必要があるビットの数を有効に減らして、システムオーバヘッドが低減されるようにし得る。代替的に、バンド幅情報は、ＮＲダウンリンクＢＷＰ  ＲＢビットマップ（bitmap）（例えば、方法は、ＬＴＥ及びＮＲの重なり合ったバンド幅部分の開始ＲＢが整列される場合に適用されてよい）、又はそのようなものを含んでよい。これは、本願において制限されない。例えば、ｙ１は、ＲＢがリザーブされる必要があるリソースであることを示し、ｙ２は、ＲＢがリザーブされる必要がないリソースであることを示す。例えば、ｙ１及びｙ２の典型的な値は、１及び０であってよい。１は、リソースがリザーブされる必要があること、又はリザーブされる必要があるリソース、例えば、サブキャリアがあることを示す。０は、リソースがリザーブされる必要がないこと、又はリザーブされる必要があるリソース、例えば、サブキャリアがないことを示す。
【００８４】
代替的に、バンド幅情報は、第１リソース単位の第１位置情報、第２リソース単位の第２位置情報、第１リソース単位の数、又は第２リソース単位の数のうちの少なくとも２つ、すなわち、共有周波数に関する情報を含んでよい。例えば、バンド幅情報は、開始サブキャリア／ＲＢ＋終了サブキャリア／ＲＢを含んでよく、あるいは、開始サブキャリア／ＲＢ＋サブキャリア／ＲＢの数を含んでよく、あるいは、終了サブキャリア／ＲＢ＋サブキャリア／ＲＢの数を含んでよく（“＋”は“及び”を表し得る）、あるいは、開始及び終了サブキャリア／ＲＢ＋サブキャリア／ＲＢの数を含んでよい。第１リソース単位及び第２リソース単位の単位は、同じでも又は異なってもよい。例えば、２つの単位がＲＢ又はサブキャリアであるか、あるいは、一方の単位がＲＢであり、他方の単位がサブキャリアである。これは、本願において制限されない。更に、開始／終了ＲＢが含まれる場合に、ＲＢは始め／終わりで整列される必要がある。始め及び終わりにＲＢがある場合に、少なくとも開始ＲＢ又は終了ＲＢは整列される必要がある（開始ＲＢが整列され、かつ／あるいは、終了ＲＢが整列される）。開始ＲＢ又は終了ＲＢのどちらか一方が整列される場合に、ユーザは、整列されるＲＢが開始ＲＢ又は終了ＲＢであるかどうかを通知される必要があり、あるいは、整列されるＲＢは、デフォルトでセットされてよく、例えば、開始ＲＢ又は終了ＲＢが整列されることは、デフォルトでセットされる。
【００８５】
本願において、“バンド幅情報”は、バンド幅情報を示す語であることが理解されるべきである。例えば、“バンド幅情報”は、値を表し得る。他のシナリオでは、“バンド幅情報”は、他の名称を有してもよい。これは、本願において制限されない。
【００８６】
任意に、第１リソースによって占有される周波数領域リソースに関する情報は、サブキャリア数及びサブキャリア番号のうちの少なくとも１つを含んでよい。例えば、サブキャリア数は２又は４のどちらか一方であり、あるいは、サブキャリア数のインデックスが通知されてもよい。例えば、リソースブロックにおけるサブキャリアの番号は、［０，６］、［１，７］、［２，８］、［３，９］、［４，１０］、［５，１１］、［０，３，６，９］、［１，４，７，１０］、及び［２，５，８，１１］の中の１つであってよく、あるいは、組のインデックスが通知されてもよい。サブキャリア数が２である場合に、リソースブロックにおけるサブキャリアの番号の対応する組は、［０，６］、［１，７］、［２，８］、［３，９］、［４，１０］、及び［５，１１］の中の１つであり、具体的に示される組は、基地局によって特定されてよく、あるいは、デフォルトで決定されてよい。サブキャリア数が４である場合に、リソースブロックにおけるサブキャリアの番号の対応する組は、［０，３，６，９］、［１，４，７，１０］、及び［２，５，８，１１］の中の１つであり、具体的に示される組は、基地局によって特定されてよく、あるいは、デフォルトで決定されてよい。
【００８７】
任意に、周波数シフトは、シフトサブキャリアの数、他の粒度のシフト、シフト周波数値、又はそのようなものであってよく、これは、本願において制限されない。
【００８８】
任意に、指示情報は、第１リソースの時間領域位置情報、例えば、ＯＦＤＭシンボルの番号を更に示してよい。更に、端末デバイスは、時間領域位置と、周波数位置情報のような情報に基づいて決定される周波数領域位置と、バンド幅情報と、周波数シフトと、リソースブロックにおいて第１リソースによって占有される周波数領域リソースに関する情報とに基づいて、第１リソースを決定して、決定された第１リソースの信頼性を更に改善し得る。
【００８９】
４０３．端末デバイスは、指示情報に基づいて第１リソースを決定する。
【００９０】
具体的に、ネットワークデバイスが指示情報を端末デバイスへ送った後、端末デバイスは、ネットワークデバイスによって送られた指示情報を受け取り、指示情報に基づいて、リザーブされるべき第１リソースを更に決定し得る。
【００９１】
任意に、指示情報を受け取った後、第１リソースを決定する場合に、端末デバイスは、周波数シフトを調整することによって、異なるエリアにおける第１リソースの位置を決定し得る。具体的に、端末デバイスは、第１サブキャリアの番号Ｎｃと、第１サブキャリアが位置するＲＢの番号ＮＲＢとを得るように（サブキャリア番号及びＲＢ番号は、ＢＷＰにおけるサブキャリア番号及びＲＢ番号であってよく、あるいは、バンド幅全体におけるサブキャリア番号及びＲＢ番号であってよい）、周波数位置情報を使用することによって第１サブキャリアの位置（すなわち、ＬＴＥ中心サブキャリアに対応するＮＲシステムのサブキャリアの位置）を決定することが考えられる。更に、端末デバイスは、共有周波数の開始サブキャリア番号Ｎｓ及び終了サブキャリア番号Ｎｅを得るように、端末デバイスのバンド幅情報及びＢＷＰ情報（バンド幅情報は、ＬＴＥのバンド幅情報又はＮＲのＲＢビットマップ情報のみを示す）を使用することによって共有周波数を決定するか、あるいは、バンド幅情報（バンド幅情報は、共有周波数に関する情報を示す）を使用することによって直接に共有周波数を決定してよい。表１に示されるように、第１サブキャリアの位置がＢＷＰの外にある場合に、ＮｓからＮｅまでに使用される周波数シフトは、Ｖｓｈｉｆｔ，ＮＲ＝Ｖｓｈｉｆｔであり、このとき、Ｖｓｈｉｆｔは、指示情報によって示される周波数シフトであってよく、あるいは、第１サブキャリアの位置がＮＲ  ＢＷＰの中にある場合に、開始サブキャリアＮｓからサブキャリアＮｃまでに使用される周波数シフトは、Ｖｓｈｉｆｔ，ＮＲ＝Ｖｓｈｉｆｔであり、サブキャリアＮｃ＋１から終了サブキャリアＮｅまでに使用される周波数シフトは、Ｖｓｈｉｆｔ，ＮＲ＝Ｖｓｈｉｆｔ＋１である（このシナリオでは、指示情報によって示される周波数シフトは、左側での周波数シフトであってよい）。代替的に、周波数シフトは、右側での周波数シフトであってもよい。具体的に言えば、第１サブキャリアの位置がＮＲ  ＢＷＰの中にある場合に、開始サブキャリアＮｓからサブキャリアＮｃまでの周波数シフトは、Ｖｓｈｉｆｔ，ＮＲ＝Ｖｓｈｉｆｔ−１であり、サブキャリアＮｃ＋１から終了サブキャリアＮｅまでの周波数シフトは、Ｖｓｈｉｆｔ，ＮＲ＝Ｖｓｈｉｆｔであり、あるいは、第１サブキャリアの位置がＢＷＰの外にある場合に、ＮｓからＮｅまでの周波数シフトは、Ｖｓｈｉｆｔ，ＮＲ＝Ｖｓｈｉｆｔ−１である。ＮＲのＢＷＰ情報は、ＮＲシステムではシステムメッセージにおいて設定されてよい。
【表１】
2021503813.tif 000003
【００９２】
第１リソースを決定するとき、端末デバイスは、リソースブロックにおいて第１リソースによって占有される周波数領域リソースに関する情報、共有周波数の開始サブキャリア番号Ｎｓ、及びＶｓｈｉｆｔ，ＮＲに基づいて、リザーブされる必要があるサブキャリアの番号を取得する。例えば、端末デバイスは、リソースブロックにおいて第１リソースによって占有される周波数領域リソースに関する情報及び周波数シフトＶｓｈｉｆｔ，ＮＲに基づいて、各リソースブロックにおいてリザーブされる必要があるサブキャリアの番号の組を決定し、それから、共有周波数の開始サブキャリア番号に基づいて、最終的にリザーブされる必要があるサブキャリアの番号（バンド幅全体におけるサブキャリア番号、例えば、ＢＷＰにおけるサブキャリア番号）を取得し得る。
【００９３】
例えば、図６に示されるように、リソースブロックにおいて第１リソースによって占有されるサブキャリアの数は４であり、占有されるサブキャリアの対応する番号は［０，３，６，９］であり（あるいは、リソースブロックにおいて第１リソースによって占有されるサブキャリアの番号は［０，３，６，９］であることが示されてよい）、Ｖｓｈｉｆｔ＝４、ＬＴＥシステムの中心サブキャリアに対応するＮＲシステムのサブキャリアの位置は、Ｎｃ＝４０であり、Ｎｃは、ＮＲシステムで使用されるＢＷＰの中にあり、ＬＴＥ及びＮＲの共有周波数の開始サブキャリアは、Ｎｓ＝４であり、ＬＴＥ及びＮＲの共有周波数の終了サブキャリアは、Ｎｅ＝７６である。この場合に、Ｎｃの左側にある共有周波数部分、すなわち、４から４０の番号を付されたサブキャリアでは、Ｖｓｈｉｆｔ，ＮＲ＝４、そして、各リソースブロックにおける第１リソースの番号は、次のとおりに取得される：Ｖｓｈｉｆｔ，ＮＲ＝４が、番号を得るために［０，３，６，９］内の各番号に加えられ、それから、モジュロ−１２演算が、［４，７，１０，１］を得るように番号に対して行われる。Ｎｃの右側にある共有周波数部分、すなわち、４０から７６の番号を付されたサブキャリアでは、Ｖｓｈｉｆｔ，ＮＲ＝Ｖｓｈｉｆｔ＋１＝５、そして、各リソースブロックにおける第１リソースの番号は、次のとおりに取得される：Ｖｓｈｉｆｔ，ＮＲ＝５が、番号を得るために［０，３，６，９］内の各番号に加えられ、それから、モジュロ−１２演算が、［５，８，１１，２］を得るように番号に対して行われる。次いで、共有周波数の開始サブキャリアＮｓ＝４及びＮＲシステムにおける各サブキャリアの位置に基づいて、Ｎｃの左側でリザーブされる必要があるサブキャリアの番号が［４，７，１０，１３，・・・，２８，３１，３４，３７］（ＢＷＰにおける番号）であり、かつ、Ｎｃの右側でリザーブされる必要があるサブキャリアの番号が［４１，４４，４７，・・・，６５，６８，７１，７４］であることが決定され得る。
【００９４】
端末デバイスは、種々の方法で第１リソースを決定し得ることが理解されるべきである。なお、周波数シフトの決定中に、第１サブキャリアの位置がＢＷＰの中にある場合に、周波数シフトは、中心サブキャリアの左側及び右側で異なり、右側での周波数シフトは、左側でのそれよりも１サブキャリア大きく、あるいは、第１サブキャリアの位置がＢＷＰの外にある場合に、１つのシフトモードしかなく、すなわち、周波数シフトは常に、指示情報に含まれる周波数シフトである。
【００９５】
任意に、端末デバイスは、サブキャリア番号シフトを使用することによって第１リソースを直接決定し得る。具体的に、第１サブキャリアがＮＲ  ＢＷＰの中にある場合に、端末デバイスは、リソースブロックにおいて第１リソースによって占有される周波数領域に関する情報及びＶｓｈｉｆｔ情報に基づいて、リソースブロックにおいてリザーブされる必要があるサブキャリアの番号（リソースブロックにおける番号）を取得し得る。例えば、端末デバイスは、リソースブロックにおいて第１リソースによって占有されるサブキャリア（サブキャリアの番号）の数及び周波数シフトＶｓｈｉｆｔに基づいて、リソースブロックにおいて第１リソースによって占有されるサブキャリアの番号情報を取得し、それから、共有周波数の開始サブキャリア番号Ｎｓに基づいて、共有周波数部分における第１リソースの一時サブキャリア番号がｋＮＲ（バンド幅全体におけるサブキャリア番号、例えば、ＢＷＰにおけるサブキャリア番号）であることを決定し得る。この場合に、中心サブキャリアの位置Ｎｃの左側にある共有周波数部分における第１リソースのサブキャリア番号は、ｋＮＲであり、Ｎｃの右側にある共有周波数部分における第１リソースのサブキャリア番号は、ｋＮＲ＋１である。第１サブキャリアがＮＲ  ＢＷＰの外にある場合に、第１サブキャリアのサブキャリア番号はｋＮＲである。これは、表２に示される。この場合に、ｋＮＲは、リソースブロック番号、各リソースブロックにおいて第１リソースによって占有されるサブキャリアの番号、及び周波数シフトの関数である。
【表２】
2021503813.tif 000004
【００９６】
端末デバイスは、種々の方法で第１リソースを決定し得ることが理解されるべきである。なお、最終的にリザーブされるべきリソースの決定中に、第１サブキャリアの位置がＢＷＰの中にある場合に、中心サブキャリアの位置の左側及び右側にあるサブキャリアの番号を計算する方法は、異なっており、右側でのサブキャリア番号は、左側での対応するサブキャリア番号よりも１大きく、すなわち、右側での周波数シフトは、左側でのそれよりも１サブキャリア大きい。すなわち、左側のための計算式がｋＮＲである場合に、右側のための計算式はｋＮＲ＋１である。第１サブキャリアの位置がＢＷＰの外にある場合に、１つの計算式ｋＮＲしかない。
【００９７】
本発明のこの実施形態で、ネットワークデバイスは、周波数位置情報と、バンド幅情報と、時間領域位置情報と、周波数シフトと、リソースブロックにおいて第１リソースによって占有される周波数領域位置に関する情報とを含む指示情報に基づいて、ＬＴＥシステムにおけるＣＲＳのためにＮＲシステムでリザーブされる必要があるサブキャリアの位置情報を示すことができ、それにより、端末デバイスは、周波数位置情報に基づいて中心サブキャリアの位置を決定し、バンド幅情報に基づいてＬＴＥ及びＮＲの共有周波数を決定し、更には、周波数シフト及びリソースブロックにおいて第１リソースによって占有される周波数領域位置に関する情報などの情報に基づいて、中心サブキャリアの位置の左側及び右側で、すなわち、異なるエリアにおいてリザーブされる必要があるリソースの位置を決定することができ、それによって、ＲＢにおけるＣＲＳの相対位置が、中心サブキャリアによって引き起こされるリソースシフト現象のためにＬＴＥ中心サブキャリアの左側及び右側で一致しないという問題を解決する。これは、システムにおいてリザーブされる必要があるリソースの決定された位置の信頼性を改善する。
【００９８】
図７は、本発明の実施形態に従う他の情報指示方法の相互作用の概略図である。具体的に、図７に示されるように、本発明のこの実施形態における情報指示方法は、次のステップを含んでよい。
【００９９】
７０１．ネットワークデバイスは、指示情報を生成し、このとき、指示情報は、周波数位置情報と、バンド幅情報と、第１リソースによって占有されるＯＦＤＭシンボルの番号と、周波数シフトと、アンテナポート情報とを示す。
【０１００】
７０２．ネットワークデバイスは、指示情報を端末デバイスへ送る。
【０１０１】
本願において、ＢＷＰのようなＮＲバンド幅に対して第１サブキャリアの位置（又はＬＴＥ中心サブキャリアの位置）について次のいくつかの場合がある：第１サブキャリアの位置がＮＲ  ＢＷＰの中にある、及び第１サブキャリアの位置がＮＲ  ＢＷＰの外にある。図５に示されるように、第１サブキャリアの位置がＮＲ  ＢＷＰの中にある場合に、２つのシナリオがある：場合１（ＬＴＥ  ＢＷがＮＲ  ＢＷＰに含まれる）及び場合２（ＬＴＥ  ＢＷが部分的にＮＲ  ＢＷＰに重なり、ＬＴＥ中心サブキャリアの周波数又は第１サブキャリアの周波数がＮＲ  ＢＷＰの中にある）。場合２は、場合２ａ及び場合２ｂに更に分けられる。第１サブキャリアの位置がＮＲ  ＢＷＰの外にある場合に、２つのシナリオがある：場合３（ＬＴＥ  ＢＷが部分的にＮＲ  ＢＷＰに重なり、ＬＴＥ中心サブキャリアの周波数又は第１サブキャリアの周波数がＮＲ  ＢＷＰの外にある）。場合３は、２つの場合に更に分けられる：場合３ａ及び場合３ｂ。
【０１０２】
任意に、周波数位置情報は、第１サブキャリアの位置情報であってよく、例えば、第１サブキャリア（例えば、ＬＴＥ中心サブキャリアに対応するＮＲシステムのサブキャリア）の番号、第１サブキャリアに対応する絶対無線周波数チャネル番号、又は第１サブキャリアの周波数、すなわち、第１周波数を含んでよい。例えば、第１サブキャリアがＢＷＰの中にある場合に、周波数位置情報は、第１サブキャリアの番号を含んでよい。第１サブキャリアがＢＷＰの外にある場合に、第１サブキャリアは、ＢＷＰにおけるサブキャリア番号に対応することができない。この場合に、周波数位置情報のフィールドは、空であるようセットされてよく（設定されなくてよく）、あるいは、−１などのデフォルト値がフィールドに設定されてもよい。代替的に、第１サブキャリアの番号は、バンド幅全体におけるサブキャリア番号であるが、ＢＷＰにおけるサブキャリア番号ではない。例えば、ＢＷＰは０から７１（サブキャリア）であり、周波数位置情報は、第１サブキャリアがＢＷＰの外にあることを示すよう７６（又は０から７１の範囲外の任意の他の値）として示されてよい。
【０１０３】
任意に、バンド幅情報は、ＬＴＥのバンド幅値を含んでよく、例えば、｛１．４，３，５，１０，１５，２０｝ＭＨｚの中の１つを使用することによって示される。代替的に、バンド幅情報はＲＢ数を含んでよく、例えば、｛６，１５，２５，５０，７５，１００｝ＲＢの中の１つを使用することによって示される。代替的に、バンド幅情報はサブキャリア数を含んでよく、例えば、｛７２，１８０，３００，６００，９００，１２００｝サブキャリアの中の１つを使用することによって示される。代替的に、バンド幅情報は、指示のために上記３つの値の中の１つのインデックスを含んでよい。ＬＴＥシステムのバンド幅は６つのタイプしかないので、ＬＴＥシステムのバンド幅を示す方法は、指示情報のために使用される必要があるビットの数を有効に減らして、システムオーバヘッドが低減されるようにし得る。代替的に、バンド幅情報は、ＮＲダウンリンクＢＷＰ  ＲＢビットマップ（bitmap）（例えば、方法は、ＬＴＥ及びＮＲの重なり合ったバンド幅部分の開始ＲＢが整列される場合に適用されてよい）、又はそのようなものを含んでよい。これは、本願において制限されない。例えば、ｙ１は、ＲＢがリザーブされる必要があるリソースであることを示し、ｙ２は、ＲＢがリザーブされる必要がないリソースであることを示す。例えば、ｙ１及びｙ２の典型的な値は、１及び０であってよい。１は、リソースがリザーブされる必要があること、又はリザーブされる必要があるリソース、例えば、サブキャリアがあることを示す。０は、リソースがリザーブされる必要がないこと、又はリザーブされる必要があるリソース、例えば、サブキャリアがないことを示す。
【０１０４】
代替的に、バンド幅情報は、第１リソース単位の第１位置情報、第２リソース単位の第２位置情報、第１リソース単位の数、又は第２リソース単位の数のうちの少なくとも２つ、すなわち、共有周波数に関する情報を含んでよい。例えば、バンド幅情報は、開始サブキャリア／ＲＢ＋終了サブキャリア／ＲＢを含んでよく、あるいは、開始サブキャリア／ＲＢ＋サブキャリア／ＲＢの数を含んでよく、あるいは、終了サブキャリア／ＲＢ＋サブキャリア／ＲＢの数を含んでよく、あるいは、開始及び終了サブキャリア／ＲＢ＋サブキャリア／ＲＢの数を含んでよい。第１リソース単位及び第２リソース単位の単位は、同じでも又は異なってもよい。例えば、２つの単位がＲＢ又はサブキャリアであるか、あるいは、一方の単位がＲＢであり、他方の単位がサブキャリアである。これは、本願において制限されない。更に、開始／終了ＲＢが含まれる場合に、ＲＢは始め／終わりで整列される必要がある。始め及び終わりにＲＢがある場合に、少なくとも開始ＲＢ又は終了ＲＢは整列される必要がある（開始ＲＢが整列され、かつ／あるいは、終了ＲＢが整列される）。開始ＲＢ又は終了ＲＢのどちらか一方が整列される場合に、ユーザは、整列されるＲＢが開始ＲＢ又は終了ＲＢであるかどうかを通知される必要があり、あるいは、整列されるＲＢは、デフォルトでセットされてよく、例えば、開始ＲＢ又は終了ＲＢが整列されることは、デフォルトでセットされる。
【０１０５】
本願において、“バンド幅情報”は、バンド幅情報を示す語であることが理解されるべきである。例えば、“バンド幅情報”は、値を表し得る。他のシナリオでは、“バンド幅情報”は、他の名称を有してもよい。これは、本願において制限されない。
【０１０６】
任意に、アンテナポート情報は、ポートポート数を含んでよく、例えば、｛１，２，４｝又はポート数のインデックスを使用することによって示される。
【０１０７】
任意に、周波数シフトは、シフトサブキャリアの数、他の粒度のシフト、シフト周波数値、又はそのようなものであってよく、これは、本願において制限されない。
【０１０８】
任意に、指示情報は、第１リソースの時間領域位置情報、例えば、ＯＦＤＭシンボルの番号を更に示してよい。更に、端末デバイスは、時間領域位置と、周波数位置情報のような情報に基づいて決定される周波数領域位置と、バンド幅情報と、周波数シフトと、アンテナポート情報とに基づいて、第１リソースを決定して、決定された第１リソースの信頼性を更に改善し得る。
【０１０９】
７０３．端末デバイスは、指示情報に基づいて第１リソースを決定する。
【０１１０】
具体的に、ネットワークデバイスが指示情報を端末デバイスへ送った後、端末デバイスは、ネットワークデバイスによって送られた指示情報を受け取り、指示情報に基づいて、リザーブされるべき第１リソースを更に決定し得る。
【０１１１】
任意に、指示情報を受け取った後、第１リソースを決定する場合に、端末デバイスは、周波数シフトを調整することによって、異なるエリアにおける第１リソースの位置を決定し得る。具体的に、端末デバイスは、第１サブキャリアの番号Ｎｃと、第１サブキャリアが位置するＲＢの番号ＮＲＢとを得るように（サブキャリア番号及びＲＢ番号は、ＢＷＰにおけるサブキャリア番号及びＲＢ番号であってよく、あるいは、バンド幅全体におけるサブキャリア番号及びＲＢ番号であってよい）、周波数位置情報を使用することによって第１サブキャリアの位置（すなわち、ＬＴＥ中心サブキャリアに対応するＮＲシステムのサブキャリアの位置）を決定することが考えられる。更に、端末デバイスは、共有周波数の開始サブキャリア番号Ｎｓ及び終了サブキャリア番号Ｎｅを得るように、端末デバイスのバンド幅情報及びＢＷＰ情報（バンド幅情報は、ＬＴＥのバンド幅情報又はＮＲのＲＢビットマップ情報のみを示す）を使用することによって共有周波数を決定するか、あるいは、バンド幅情報（バンド幅情報は、共有周波数に関する情報を示す）を使用することによって直接に共有周波数を決定してよい。表１に示されるように、第１サブキャリアの位置がＢＷＰの外にある場合に、ＮｓからＮｅまでの周波数シフトは、Ｖｓｈｉｆｔ，ＮＲ＝Ｖｓｈｉｆｔであり、あるいは、第１サブキャリアの位置がＮＲ  ＢＷＰの中にある場合に、開始サブキャリアＮｓからサブキャリアＮｃまでの周波数シフトは、Ｖｓｈｉｆｔ，ＮＲ＝Ｖｓｈｉｆｔであり、サブキャリアＮｃ＋１から終了サブキャリアＮｅまでの周波数シフトは、Ｖｓｈｉｆｔ，ＮＲ＝Ｖｓｈｉｆｔ＋１である（このシナリオでは、指示情報によって示される周波数シフトは、左側での周波数シフトであってよい）。代替的に、周波数シフトは、右側での周波数シフトであってもよい。具体的に言えば、第１サブキャリアの位置がＮＲ  ＢＷＰの中にある場合に、開始サブキャリアＮｓからサブキャリアＮｃまでの周波数シフトは、Ｖｓｈｉｆｔ，ＮＲ＝Ｖｓｈｉｆｔ−１であり、サブキャリアＮｃ＋１から終了サブキャリアＮｅまでの周波数シフトは、Ｖｓｈｉｆｔ，ＮＲ＝Ｖｓｈｉｆｔであり、詳細はここでは記載されず、あるいは、第１サブキャリアの位置がＢＷＰの外にある場合に、ＮｓからＮｅまでの周波数シフトは、Ｖｓｈｉｆｔ，ＮＲ＝Ｖｓｈｉｆｔ−１である。ＮＲのＢＷＰ情報は、ＮＲシステムではシステムメッセージにおいて設定されてよい。
【０１１２】
第１リソースを決定するとき、端末デバイスは、アンテナポート数及びＶｓｈｉｆｔ，ＮＲに基づいて、リザーブされる必要があるサブキャリアの番号を取得する。例えば、端末デバイスは、アンテナポート数及び周波数シフトＶｓｈｉｆｔ，ＮＲに基づいて、かつ、ＬＴＥシステムにおいてＣＲＳサブキャリア位置情報を決定するために使用される式に従って、第３サブキャリア番号情報ｋＴｅｍｐ（バンド幅全体におけるサブキャリア番号、例えば、ＢＷＰにおけるサブキャリア番号）を取得し、例えば（この場合に、ＬＴＥシステムにおける時間領域情報、すなわち、ＯＦＤＭシンボルの番号は、デフォルトで０であってよく、全ての周波数シフトは、Ｖｓｈｉｆｔを使用することによって表される）、それから、中心サブキャリアの位置及びバンド幅情報に基づいて、初期周波数シフトＮｒｅを取得し得る。この場合に、最終的にリザーブされるべきリソースの位置情報、例えば、第１リソースの番号ｋＮＲ（バンド幅全体におけるサブキャリア番号、例えば、ＢＷＰにおけるサブキャリア番号）は、ｋＮＲ＝ｋＴｅｍｐ＋Ｎｒｅである。例えば、図６に示されるように、“アンテナポート”のようなアンテナポート情報は、４であり、Ｖｓｈｉｆｔ＝０、ＬＴＥシステムの中心サブキャリアに対応するＮＲシステムのサブキャリアの位置は、Ｎｃ＝４０であり、Ｎｃは、ＮＲシステムによってダウンリンクユーザに割り当てられているＢＷＰの中にあり、ＬＴＥ及びＮＲの共有周波数の開始サブキャリアは、Ｎｓ＝４であり、ＬＴＥ及びＮＲの共有周波数の終了サブキャリアは、Ｎｅ＝７６であることが考えられる。この場合に、Ｎｃの左側にある共有周波数部分、すなわち、４から４０の番号を付されたサブキャリアでは、Ｖｓｈｉｆｔ，ＮＲ＝０、そして、ＬＴＥにおいてＣＲＳ周波数領域位置を決定する方法に従って求められるサブキャリア位置（ＬＴＥシステムにおける時間領域情報、すなわち、ＯＦＤＭシンボルの番号は、デフォルトで０であってよく、このとき、このデフォルト方式は次に適用され、詳細は再び記載されず、使用される周波数シフトは、Ｖｓｈｉｆｔ，ＮＲである）は、［０，３，６，９，・・・，２４，２７，３０，３３］である。Ｎｃの右側にある共有周波数部分、すなわち、４１から７６の番号を付されたサブキャリアでは、Ｖｓｈｉｆｔ，ＮＲ＝Ｖｓｈｉｆｔ＋１＝１、そして、ＬＴＥにおいてＣＲＳ周波数領域位置を決定する方法に従って求められるサブキャリア位置は、［３７，４０，４３，・・・，６１，６４，６７，７０］である。この場合に、初期周波数シフトは、４サブキャリアである。Ｎｃの左側でＮＲにおいて最終的にリザーブされる必要があるサブキャリアは、ＬＴＥにおいてＣＲＳ位置を計算する方法に従って求められたサブキャリア位置に初期周波数シフト４を加えることによって求められ、［４，７，１０，１３，・・・，２８，３１，３４，３７］であり、Ｎｃの右側でリザーブされる必要があるサブキャリアは、ＬＴＥにおいてＣＲＳ位置を計算する方法に従って求められたサブキャリア位置に初期周波数シフト４を加えることによって求められ、サブキャリアの位置は、［４１，４４，４７，・・・，６５，６８，７１，７４］である。
【０１１３】
代替的に、端末デバイスは、ＢＷＰのようなバンド幅全体内のサブキャリア番号に基づいてリソースをリザーブしてよい。例えば、アンテナポート数が１である場合に、リソースブロックにおいて第１リソースによって占有されるサブキャリアの対応する数は２であるか、又はリソースブロックにおいて第１リソースによって占有されるサブキャリアの番号は［０，６］であり、あるいは、アンテナポート数が２又は４である場合に、リソースブロックにおいて第１リソースによって占有されるサブキャリアの対応する数は４であるか、又はリソースブロックにおいて第１リソースによって占有されるサブキャリアの番号は［０，３，６，９］である。次いで、第１リソースのサブキャリア番号（番号は、バンド幅全体におけるサブキャリア番号、例えば、ＢＷＰにおける番号である）は、他のパラメータに基づいて、図４に示される実施形態における関連する記載を参照して、計算される。詳細は、ここで再び記載されない。
【０１１４】
端末デバイスは、種々の方法で第１リソースを決定し得ることが理解されるべきである。なお、周波数シフトの決定中に、第１サブキャリアの位置がＢＷＰの中にある場合に、周波数シフトは、中心サブキャリアの左側及び右側で異なっており、右側での周波数シフトは、左側でのそれより１サブキャリア大きく、あるいは、第１サブキャリアの位置がＢＷＰの外にある場合に、１つのシフトモードしかなく、すなわち、周波数シフトは常に、指示情報に含まれる周波数シフトである。
【０１１５】
任意に、端末デバイスは、サブキャリアシフトを使用することによって第１リソースを直接決定してもよい。具体的に、第１サブキャリアがＮＲ  ＢＷＰの中にある場合に、端末デバイスは、アンテナポート数及びＶｓｈｉｆｔ情報に基づいて、リザーブされる必要があるサブキャリアの番号を取得してよい。例えば、端末デバイスは、アンテナポート数及び周波数シフトに基づいて、かつ、ＬＴＥにおいてＣＲＳ周波数領域位置を計算する方法に従って（この場合に、ＬＴＥシステムにおける時間領域情報、すなわち、ＯＦＤＭシンボルの番号は、デフォルトで０であってよく、全ての周波数シフトは、Ｖｓｈｉｆｔを使用することによって表される）、ＬＴＥシステムにおけるＣＲＳが位置するサブキャリアの番号情報ｋＬＴＥを取得し、それから、中心サブキャリアの位置及びバンド幅情報に基づいて初期周波数シフトＮｒｅを取得し得る。この場合に、Ｎｃの左側にある共有周波数部分内の第１リソース、すなわち、最終的にリザーブされるべきリソース、の番号ｋＮＲは、ｋＮＲ＝ｋＬＴＥ＋Ｎｒｅであり、Ｎｃの右側にある共有周波数部分内のｋＮＲは、ｋＮＲ＝ｋＬＴＥ＋Ｎｒｅ＋１である。第１サブキャリアがＮＲ  ＢＷＰの外にある場合に、表２に示されるように、第１リソースの番号ｋＮＲ、すなわち、最終的にリザーブされるべきリソースの位置は、ｋＮＲ＝ｋＬＴＥ＋Ｎｒｅである。この場合に、ｋＮＲは、アンテナポート数及び周波数シフトの関数変数である。
【０１１６】
代替的に、端末デバイスは、ＢＷＰのようなバンド幅全体におけるサブキャリア番号に基づいてリソースをリザーブしてよい。例えば、アンテナポート数が１である場合に、リソースブロックにおいて第１リソースによって占有されるサブキャリアの対応する数は２であるか、又はリソースブロックにおいて第１リソースによって占有されるサブキャリアの番号は［０，６］であり、あるいは、アンテナポート数が２又は４である場合に、リソースブロックにおいて第１リソースによって占有されるサブキャリアの対応する数は４であるか、又はリソースブロックにおいて第１リソースによって占有されるサブキャリアの番号は［０，３，６，９］である。次いで、第１リソースのサブキャリア番号（ＢＷＰのようなバンド幅全体におけるサブキャリア番号）は、他のパラメータに基づいて、図４に示される実施形態における関連する記載を参照して、計算される。詳細は、ここで再び記載されない。
【０１１７】
端末デバイスは、種々の方法で第１リソースを決定し得ることが理解されるべきである。なお、最終的にリザーブされるリソースの決定中に、第１サブキャリアの位置がＢＷＰの中にある場合に、中心サブキャリアの位置の左側及び右側でサブキャリアの番号を計算する方法は、異なっており、右側でのサブキャリア番号は、左側での対応するサブキャリア番号よりも１大きく、すなわち、左側での周波数は、左側でのそれより１サブキャリア大きい。言い換えれば、左側のための計算式がｋＮＲである場合に、右側のための計算式はｋＮＲ＋１である。第１サブキャリアの位置がＢＷＰの外にある場合に、１つの計算式ｋＮＲしかない。
【０１１８】
本発明のこの実施形態で、ネットワークデバイスは、周波数位置情報と、バンド幅情報と、時間領域位置情報、周波数シフトと、アンテナポート数とを含む指示情報に基づいて、ＬＴＥシステムにおけるＣＲＳのためにＮＲシステムでリザーブされる必要があるサブキャリアの位置情報を示すことができ、それにより、端末デバイスは、周波数位置情報に基づいて中心サブキャリアの位置を決定し、バンド幅情報に基づいてＬＴＥ及びＮＲの共有周波数を決定し、更には、周波数シフト及びアンテナポート数などの情報に基づいて、中心サブキャリアの位置の左側及び右側で、すなわち、異なるエリアにおいてリザーブされる必要があるリソースの位置を決定することができ、それによって、ＲＢにおけるＣＲＳの相対位置が、中心サブキャリアによって引き起こされるリソースシフト現象のためにＬＴＥ中心サブキャリアの左側及び右側で一致しないという問題を解決する。これは、システムにおいてリザーブされる必要があるリソースの決定された位置の信頼性を改善する。
【０１１９】
図８は、本発明の実施形態に従う更なる他の情報指示方法の相互作用の概略図である。具体的に、図８に示されるように、本発明のこの実施形態における情報指示方法は、次のステップを含んでよい。
【０１２０】
８０１．ネットワークデバイスは、指示情報を生成し、このとき、指示情報は、周波数位置情報と、バンド幅情報と、第１リソースによって占有されるＯＦＤＭシンボルの番号と、リソースブロックにおいて第２リソースによって占有される周波数領域リソースに関する情報と、周波数シフトとを示す。
【０１２１】
リソース情報は、サブキャリア数（又はインデックス）及びサブキャリア番号のうちの少なくとも１つを含んでよい。第２リソースは、第１システムにおけるリファレンス信号、例えば、ＬＴＥ  ＣＲＳであってよい。
【０１２２】
任意に、リソースブロックにおいて第２リソースによって占有されるリソースに関する情報は、各ＲＢにおいて第２リソース（例えば、ＣＲＳ）によって占有されるリソースに関する情報であってよい。例えば、リソース情報は、サブキャリア数｛２，４｝又はサブキャリア数のインデックスを含んでよく、それにより、リソース情報は、サブキャリア数又はインデックスを使用することによって示される。サブキャリア数が２である場合に、対応するサブキャリア番号は［０，６］、［１，７］、［２，８］、［３，９］、［４，１０］、及び［５，１１］の中の１つであってよい。サブキャリア数が４である場合に、対応するサブキャリアは［０，３，６，９］、［１，４，７，１０］、及び［２，５，８，１１］の中の１つである（この場合に、番号は、ＲＢにおけるサブキャリア番号である）。代替的に、リソース情報は、サブキャリア数のインデックスを示すことによって示されてよい。［０，６］、［０，３，６，９］、［１，７］、又は［１，４，７，１０］などの番号は、ＲＢにおけるサブキャリア番号であることが理解されるべきである。
【０１２３】
具体的に、周波数位置情報、バンド幅情報、周波数シフト、時間領域位置情報、などの記載については、図３及び図４に対応する上記の実施形態における周波数位置情報、バンド幅情報、周波数シフト、及び時間領域位置情報の関連する記載を参照されたい。詳細は、ここで再び記載されない。
【０１２４】
８０２．ネットワークデバイスは、指示情報を端末デバイスへ送る。
【０１２５】
８０３．端末デバイスは、指示情報に基づいて第１リソースを決定する。
【０１２６】
具体的に、ネットワークデバイスが指示情報を端末デバイスへ送った後、端末デバイスは、ネットワークデバイスによって送られた指示情報を受け取り、指示情報に基づいて、リザーブされるべき第１リソースを更に決定し得る。
【０１２７】
任意に、リソースブロックにおいて第２リソースによって占有される周波数領域リソースに関する情報、例えば、ＲＢのサブキャリアパターン情報は、中心サブキャリアの位置の左側に関する情報を示してよく、あるいは、中心サブキャリアの位置の右側に関する情報を示してよく、これは本願において制限されない。以下は、説明のための例として、中心サブキャリアの位置の左側に関する情報を示すＲＢのサブキャリアパターン情報を使用する。第１リソースを決定する場合に、端末デバイスは、第１サブキャリアの位置（すなわち、ＬＴＥ中心サブキャリアに対応するＮＲシステムのサブキャリアの位置）を使用することによって、第１サブキャリアの番号Ｎｃ及び第１サブキャリアが位置するＲＢの番号ＮＲＢ（サブキャリア番号は、ＢＷＰにおけるサブキャリア番号であってよく、あるいは、バンド幅全体におけるサブキャリア番号であってよい）を取得し得る。更に、端末デバイスは、開始サブキャリア番号Ｎｓ及び終了サブキャリア番号Ｎｅを取得するために、バンド幅情報及び端末デバイスのＢＷＰ情報を使用することによって共有周波数を決定し、あるいは、バンド幅情報を使用することによって共有周波数を直接決定してよい。詳細は、ここで再び記載されない。
【０１２８】
更に、ＮｃがＢＷＰの中にある場合に、サブキャリアＮｓからＮｃについて、端末デバイスは、ＲＢにおける各サブキャリアの位置、ＲＢのサブキャリアパターン、及びシフトに基づいてリソースをリザーブしてよい。例えば、ＲＢのサブキャリアパターン内のサブキャリア番号がｋである場合に、端末デバイスは、リザーブされるべきリソースとして、各ＲＢにおいて（ｋ＋Ｖｓｈｉｆｔ）ｍｏｄ１２と番号付けされたサブキャリアを決定し、すなわち、各ＲＢ内のリザーブされるべきリソースのサブキャリア番号（番号は、各ＲＢ内のサブキャリアの番号である）は、（ｋ＋Ｖｓｈｉｆｔ）ｍｏｄ１２である。サブキャリアＮｃ＋１からＮｅについて、端末デバイスは、ＲＢ内の各サブキャリアの特定の位置、ＲＢのサブキャリアパターン、及び対応する周波数シフトに基づいて、リザーブされるべきリソースを決定する。例えば、ＲＢのサブキャリアパターンにおけるサブキャリア番号がｋである場合に、端末デバイスは、リザーブされるべきリソースとして、各ＲＢにおいて（ｋ＋Ｖｓｈｉｆｔ＋１）ｍｏｄ１２と番号付けされたサブキャリアを決定し、すなわち、各ＲＢ内のリザーブされるべきリソースのサブキャリア番号（番号は、各ＲＢ内のサブキャリアの番号である）は、（ｋ＋Ｖｓｈｉｆｔ＋１）ｍｏｄ１２である。ＮｃがＢＷＰの外にある場合に、共有周波数内のサブキャリアごとに、端末デバイスは、ＲＢ内のサブキャリアの特定の位置、ＲＢのサブキャリアパターン、及び対応する周波数シフトに基づいて、リザーブされるべきリソースを決定する。例えば、ＲＢのサブキャリアパターン内のサブキャリア番号がｋである場合に、端末デバイスは、リザーブされるべきリソースとして、各ＲＢにおいて（ｋ＋Ｖｓｈｉｆｔ）ｍｏｄ１２と番号付けされたサブキャリアを決定し、すなわち、各ＲＢ内のリザーブされるべきリソースのサブキャリア番号（番号は、各ＲＢ内のサブキャリアの番号である）は、（ｋ＋Ｖｓｈｉｆｔ）ｍｏｄ１２であり、ここで、ｍｏｄはモジュロ演算である。代替的に、リソースブロックにおいて第１リソースによって占有される周波数領域リソースに関する情報は、リソースブロックにおいて第２リソースによって占有される周波数領域リソースに関する情報、中心サブキャリアの位置情報、及びバンド幅情報に基づいて決定されてよい。次いで、第１リソースのサブキャリア番号（ＢＷＰのようなバンド幅全体におけるサブキャリア番号）は、リソースブロックにおいて第１リソースによって占有される周波数領域リソースに関する情報、周波数シフト、周波数位置情報、バンド幅情報、などに基づいて、かつ、図４に示される実施形態における記載を参照して、計算される。詳細は、ここで再び記載されない。
【０１２９】
任意に、バンド幅情報がＲＢ  ＩＤのような開始ＲＢ番号及び終了ＲＢ番号を含む場合に、ＬＴＥ及びＮＲの共有周波数の開始ＲＢは整列され、リソース浪費が起こる可能性があり、すなわち、いくつかの追加のサブキャリアがリザーブされ得る。例えば、開始ＲＢ番号及び終了ＲＢ番号が夫々ＮＲＢｓ及びＮＲＢｅである場合に、第１サブキャリアの番号Ｎｃ及び第１サブキャリアが位置するＲＢの番号ＮＲＢｃ（サブキャリア番号は、ＢＷＰにおけるサブキャリア番号であってよく、あるいは、バンド幅全体におけるサブキャリア番号であってよい）は、第１サブキャリアの位置（ＬＴＥ中心サブキャリアに対応するＮＲシステムのサブキャリアの位置）を使用することによって取得され得る。更に、開始ＲＢ番号及び終了ＲＢ番号を使用することによって、開始サブキャリア番号及び終了サブキャリア番号は夫々、１２×ＮＲＢｓ及び１２×ＮＲＢｅ＋１１であることが分かり、端末デバイスは更に、第１サブキャリアＮｃがＢＷＰの中又は外にあるかどうかに応じて、１２×ＮＲＢｓから１２×ＮＲＢｅ＋１１までの範囲内で第１リソースを決定し得る。決定方法は、上記の方法におけるそれと同様であり、詳細は、ここで再び記載されない。
【０１３０】
任意に、バンド幅情報がＲＢビットマップを含む場合に、端末デバイスは、ビットマップ情報を使用することによって、ｙ１に対応する最初のＲＢ番号及び最後のＲＢ番号、すなわち、開始ＲＢ番号及び終了ＲＢ番号を取得してよく、それらは、例えば、夫々ＮＲＢｓ及びＮＲＢｅである。更に、端末デバイスは、第１サブキャリアＮｃがＢＷＰの中又は外にあるかどうかに応じて、ＮＲＢｓからＮＲＢｅまでの範囲内で第１リソースを決定し得る。決定方法は、上記の方法におけるそれと同様であり、詳細は、ここで再び記載されない。更に任意に、指示情報は、第１リソースの時間領域情報、例えば、ＯＦＤＭシンボルの番号を更に示してよい。更に、端末デバイスは、時間領域位置と、周波数位置情報のような情報に基づいて決定される周波数領域位置と、バンド幅情報と、リソースにおいて第２リソースによって占有されるリソースに関する情報と、周波数シフトとに基づいて第１リソースを決定して、決定された第１リソースの信頼性を更に改善し得る。
【０１３１】
本発明のこの実施形態で、ネットワークデバイスは、周波数位置情報、バンド幅情報、時間領域位置情報、リソースブロックにおいて第２リソースによって占有されるリソースに関する情報、及び周波数シフトを含む指示情報に基づいて、ＬＴＥシステムにおけるＣＲＳのためにＮＲシステムでリザーブされる必要があるサブキャリアの位置情報を示すことができ、それにより、端末デバイスは、周波数位置情報に基づいて中心サブキャリアの位置を決定し、バンド幅情報に基づいてＬＴＥ及びＮＲの共有周波数を決定し、更には、リソースブロックにおいて第２リソースによって占有されるリソースに関する情報及び周波数シフトなどの情報に基づいて、中心サブキャリアの位置の左側及び右側で、すなわち、異なるエリアにおいてリザーブされる必要があるリソースの位置を決定することができ、それによって、ＲＢにおけるＣＲＳの相対位置が、中心サブキャリアによって引き起こされるリソースシフト現象のためにＬＴＥ中心サブキャリアの左側及び右側で一致しないという問題を解決する。これは、システムにおいてリザーブされる必要があるリソースの決定された位置の信頼性を改善する。
【０１３２】
図９は、本発明の実施形態に従う更なる他の情報指示方法の相互作用の概略図である。具体的に、図９に示されるように、本発明のこの実施形態における情報指示方法は、次のステップを含んでよい。
【０１３３】
９０１．ネットワークデバイスは、指示情報を生成し、このとき、指示情報は、周波数位置情報と、バンド幅情報と、リソースブロックにおいて第１リソースによって占有されるサブキャリアの番号と、第１リソースによって占有されるＯＦＤＭシンボルの番号とを示す。
【０１３４】
第１リソースは、第２システムにおいてリザーブされる必要があるリソース、例えば、ＮＲにおいてリザーブされる必要があるサブキャリアであってよい。
【０１３５】
任意に、リソースブロックにおいて第１リソースによって占有されるサブキャリアの番号は、［０，６］、［１，７］、［２，８］、［３，９］、［４，１０］、［５，１１］、［０，３，６，９］、［１，４，７，１０］、及び［２，５，８，１１］の中の１つを含んでよい（この場合に、番号は、ＲＢにおけるサブキャリア番号である）。代替的に、サブキャリア番号は、上記の組のインデックスを示すことによって示されてもよい。他の例として、リソース情報は、ＲＢにおけるサブキャリア番号又は番号セットのインデックスを含んでもよい。例えば、リソース情報は、サブキャリア番号が［０，６］、［１，７］、［２，８］、［３，９］、［４，１０］、［５，１１］、［０，３，６，９］、［１，４，７，１０］、及び［２，５，８，１１］の中の１つであることを示してよい。代替的に、リソース情報は、上記の２つのサブキャリアセットのインデックスを示すことによって示されてもよい。これは、本願において制限されない。
【０１３６】
具体的に、周波数位置情報、バンド幅情報、ＯＦＤＭシンボルの番号のような時間領域位置情報、などの記載については、図３及び図４に対応する上記の実施形態における周波数位置情報、バンド幅情報、及び時間領域位置情報の関連する記載を参照されたい。詳細は、ここで再び記載されない。
【０１３７】
９０２．ネットワークデバイスは、指示情報を端末デバイスへ送る。
【０１３８】
９０３．端末デバイスは、指示情報に基づいて第１リソースを決定する。
【０１３９】
具体的に、ネットワークデバイスが指示情報を端末デバイスへ送った後、端末デバイスは、ネットワークデバイスによって送られた指示情報を受け取り、指示情報に基づいて、リザーブされるべき第１リソースを更に決定し得る。
【０１４０】
任意に、リソースブロックにおいて第１リソースによって占有されるサブキャリアの番号、すなわち、ＲＢのサブキャリアパターン情報は、中心サブキャリアの位置の左側に関する情報を示してよく、あるいは、中心サブキャリアの位置の右側に関する情報を示してよく、これは本願において制限されない。以下は、説明のための例として、中心サブキャリアの位置の左側に関する情報を示すＲＢのサブキャリアパターン情報を使用する。第１リソースを決定する場合に、端末デバイスは、第１サブキャリアの位置（すなわち、ＬＴＥ中心サブキャリアに対応するＮＲシステムのサブキャリアの位置）を使用することによって、第１サブキャリアの番号Ｎｃ及び第１サブキャリアが位置するＲＢの番号ＮＲＢ（サブキャリア番号は、ＢＷＰにおけるサブキャリア番号であってよく、あるいは、バンド幅全体におけるサブキャリア番号であってよい）を取得し得る。更に、端末デバイスは、開始サブキャリア番号Ｎｓ及び終了サブキャリア番号Ｎｅを取得するために、バンド幅情報及び端末デバイスのＢＷＰ情報を使用することによって共有周波数を決定し、あるいは、バンド幅情報を使用することによって共有周波数を直接決定してよい。詳細は、ここで再び記載されない。
【０１４１】
更に、ＮｃがＢＷＰの中にある場合に、サブキャリアＮｓからＮｃについて、端末デバイスは、ＲＢにおける各サブキャリアの位置、すなわち、各ＲＢのサブキャリアパターンにおけるサブキャリア番号に基づいてリソースをリザーブしてよい。この場合に、各ＲＢ内のリザーブされるべきサブキャリアの番号（番号は、各ＲＢ内のサブキャリアの番号である）は、ｋである。サブキャリアＮｃ＋１からＮｅの夫々について、端末デバイスは、ＲＢ内のサブキャリアの特定の位置と、各ＲＢのサブキャリアパターンにおけるサブキャリア番号（ｋ＋１）ｍｏｄ１２とに基づいて、リソースをリザーブし得る。ＮｃがＢＷＰの外にある場合に、サブキャリアごとに、端末デバイスは、ＲＢ内のサブキャリアの特定の位置、すなわち、各ＲＢのサブキャリアパターンにおけるサブキャリア番号に基づいてリソースをリザーブしてよい。代替的に、第１リソースのサブキャリア番号（ＢＷＰのようなバンド幅全体におけるサブキャリア番号）は、リソースブロックにおいて第１リソースによって占有されるサブキャリアの番号情報、周波数シフト、周波数位置、バンド幅情報、などに基づいて、かつ、図４に示される実施形態における関連する記載を参照して、計算される。詳細は、ここで再び記載されない。
【０１４２】
任意に、バンド幅情報がＲＢ  ＩＤのような開始ＲＢ番号及び終了ＲＢ番号を含む場合に、リソース浪費が起こる可能性があり、すなわち、いくつかの追加のサブキャリアがリザーブされ得る。例えば、開始ＲＢ番号及び終了ＲＢ番号が夫々ＮＲＢｓ及びＮＲＢｅである場合に、第１サブキャリアの番号Ｎｃ及び第１サブキャリアが位置するＲＢの番号ＮＲＢｃ（サブキャリア番号は、ＢＷＰにおけるサブキャリア番号であってよく、あるいは、バンド幅全体におけるサブキャリア番号であってよい）は、第１サブキャリアの位置（ＬＴＥ中心サブキャリアに対応するＮＲシステムのサブキャリアの位置）を使用することによって取得され得る。更に、開始ＲＢ番号及び終了ＲＢ番号を使用することによって、開始サブキャリア番号及び終了サブキャリア番号は夫々、１２×ＮＲＢｓ及び１２×ＮＲＢｅ＋１１であることが分かり、端末デバイスは更に、第１サブキャリアＮｃがＢＷＰの中又は外にあるかどうかに応じて、１２×ＮＲＢｓから１２×ＮＲＢｅ＋１１までの範囲内で第１リソースを決定し得る。決定方法は、上記の方法におけるそれと同様であり、詳細は、ここで再び記載されない。
【０１４３】
任意に、バンド幅情報がＲＢビットマップを含む場合に、端末デバイスは、ビットマップ情報を使用することによって、ｙ１に対応する最初のＲＢ番号及び最後のＲＢ番号、すなわち、開始ＲＢ番号及び終了ＲＢ番号を取得してよく、それらは、例えば、夫々ＮＲＢｓ及びＮＲＢｅである。更に、端末デバイスは、第１サブキャリアＮｃがＢＷＰの中又は外にあるかどうかに応じて、ＮＲＢｓからＮＲＢｅまでの範囲内で第１リソースを決定し得る。決定方法は、上記の方法におけるそれと同様であり、詳細は、ここで再び記載されない。
【０１４４】
本発明のこの実施形態で、ネットワークデバイスは、周波数位置情報、バンド幅情報、時間領域位置情報、及びリソースブロックにおいて第１リソースによって占有されるリソースに関する情報を含む指示情報に基づいて、ＬＴＥシステムにおけるＣＲＳのためにＮＲシステムでリザーブされる必要があるサブキャリアの位置情報を示すことができ、それにより、端末デバイスは、周波数位置情報に基づいて中心サブキャリアの位置を決定し、バンド幅情報に基づいてＬＴＥ及びＮＲの共有周波数を決定し、更には、リソースブロックにおいて第１リソースによって占有されるリソースに関する情報に基づいて、中心サブキャリアの位置の左側及び右側で、すなわち、異なるエリアにおいてリザーブされる必要があるリソースの位置を決定することができ、それによって、ＲＢにおけるＣＲＳの相対位置が、中心サブキャリアによって引き起こされるリソースシフト現象のためにＬＴＥ中心サブキャリアの左側及び右側で一致しないという問題を解決する。これは、システムにおいてリザーブされる必要があるリソースの決定された位置の信頼性を改善する。
【０１４５】
上記の方法実施形態は、本願における情報指示方法の例の記載である。各実施形態は、強調して記載されている。実施形態において詳細に記載されていない部分については、他の実施形態における関連する記載を参照されたい。
【０１４６】
図１０は、上記の実施形態における端末デバイスの可能な略構造図である。図１０に示されるように、端末デバイス１０００は、通信ユニット１００１及び処理ユニット１００２を含んでよい。ユニットは、上記の方法の例における端末デバイスの対応する機能を実行するよう構成されてよい。例えば、通信ユニット１００１は、ネットワークデバイスから指示情報を受け取るよう構成され、指示情報は、周波数位置情報又はバンド幅情報のうちの少なくとも１つを示し、前記周波数位置情報は、第１サブキャリアの番号、第１サブキャリアの絶対無線周波数チャネル番号、又は第１周波数のうちの１つを含み、バンド幅情報は、第１バンド幅、第２サブキャリア数、第１リソースブロック数、又は第２リソースブロックビットマップのうちの１つを含む。処理ユニット１００２は、指示情報に基づいて第１リソースを決定するよう構成され、第１リソースは、第２システムのリザーブされるべきリソースである。
【０１４７】
任意に、処理ユニット１００２は、周波数位置情報に基づいて第１サブキャリアの位置を決定するよう更に構成されてよい。第１周波数領域範囲で決定される第１リソースと、第２周波数領域範囲で決定されるそれとは、リソースブロックにおいて異なった位置を有し、あるいは、第１周波数領域範囲で決定される第１リソースに含まれる第３サブキャリアの番号と、第２周波数領域範囲で決定される第１リソースに含まれる第４サブキャリアの番号とは、次を満足する：第３サブキャリアの番号を３で除することによって求められる残りは、第４サブキャリアの番号を３で除することによって求められる残りと等しくないか、あるいは、第３サブキャリアの番号を３で除することによって求められる残り前記第４サブキャリアの番号を３で除することによって求められる残りとの間には、１の差がある。第１周波数領域範囲は、第２バンド幅の中にあり第１サブキャリアの位置での周波数よりも低い周波数を含み、第２周波数領域範囲は、第２バンド幅の中にあり第１サブキャリアの位置での周波数よりも高い周波数を含み、第２バンド幅は、バンド幅情報に基づいて決定される。
【０１４８】
任意に、指示情報は、第１情報を更に示し、第１情報は、第１リソースによって占有される直交周波数分割多重化ＯＦＤＭシンボルの番号を含む。例えば、番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝を含む。
【０１４９】
任意に、指示情報は、第２情報を更に示し、第２情報は、リソースブロックにおいて第１リソースによって占有されるリソースに関する情報を含み、リソース情報は、サブキャリア数及びサブキャリア番号のうちの少なくとも１つを含む。
【０１５０】
任意に、指示情報は、第３情報を更に示し、第３情報は、リソースブロックにおいて第２リソースによって占有されるリソースに関する情報と、周波数シフトとを含み、リソース情報は、サブキャリア数及びサブキャリア番号のうちの少なくとも１つを含む。
【０１５１】
任意に、指示情報は、第４指示情報を更に示し、第４指示情報は、アンテナポート情報及び周波数シフトを含む。
【０１５２】
本発明のこの実施形態では、ユニット分割は、例であり、論理的な機能分割にすぎないことが留意されるべきである。実際の実施では、他の分割様態が使用されてよい。本発明のこの実施形態における機能ユニットは、１つの処理ユニットに組み込まれてよく、あるいは、ユニットの夫々は、物理的に単独で存在してよく、あるいは、２つ以上のユニットが１つのユニットに一体化されてよい。一体化されたユニットは、ハードウェアの形で実施されてよく、あるいは、ソフトウェア機能ユニットの形で実施されてよい。
【０１５３】
一体化されたユニットが使用される場合に、図１１は、上記の実施形態における端末デバイスの他の可能な略構造図である。図１１に示されるように、端末デバイス１１００は、処理ユニット１１０２及び通信ユニット１１０３を含んでよい。処理ユニット１１０２は、端末デバイスの動作を制御及び管理するよう構成されてよい。例えば、処理ユニット１１０２は、図３におけるステップ３０３、図４におけるステップ４０３、図８におけるステップ８０３、及び図９におけるステップ９０３を実行することにおいて端末デバイスを支援するよう構成され、かつ／あるいは、本明細書で記載される技術の他のプロセスを実行するよう構成される。通信ユニット１１０３は、他のネットワークエンティティと通信すること、例えば、図３乃至図１０に示されるネットワークデバイスのような機能ユニット又はネットワークエンティティと通信することにおいて端末デバイスを支援するよう構成される。端末デバイスは、端末デバイスのプログラムコード及びデータを記憶するよう構成された記憶ユニット１１０１を更に含んでよい。
【０１５４】
処理ユニット１１０２は、プロセッサ又はコントローラ、例えば、中央演算処理装置（Central  Processing  Unit，ＣＰＵ）、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）、他のプログラム可能な論理デバイス、トランジスタ論理デバイス、ハードウェア部品、又はそれらの組み合わせであってよい。処理ユニット１１０２は、本願で開示される内容を参照して記載される様々な例となる論理ブロック、モジュール、及び回路を実装又は実行してよい。代替的に、プロセッサは、コンピューティング機能を実装する組み合わせ、例えば、１つ以上のマイクロプロセッサの組み合わせ、又はＤＳＰとマイクロプロセッサとの組み合わせであってよい。通信ユニット１１０３は、トランシーバであってよく、独立している受信器及び送信器を含んでもよい。記憶ユニット１１０１はメモリであってよい。
【０１５５】
図１２に示されるように、他の実施形態では、端末デバイス１２００は、プロセッサ１２０２、トランシーバ１２０３、及びメモリ１２０１を含んでよい。トランシーバ１２０３、プロセッサ１２０２、及びメモリ１２０１は、互いに接続されてよい。プロセッサは、上記の処理ユニット１１０２の機能を実行してよく、トランシーバの機能は、上記の通信ユニット１１０３のそれと同様であってよく、メモリの機能は、上記の記憶ユニット１１０１のそれと同様であってよい。詳細は、ここで再び記載されない。
【０１５６】
本願で開示される内容と組み合わせて記載される方法又はアルゴリズムステップは、ハードウェアによって実装されてよく、あるいは、ソフトウェア命令を実行することによってプロセッサによって実装されてよい。ソフトウェア命令は、対応するソフトウェアモジュールを含んでよい。ソフトウェアモジュールは、ランダム・アクセス・メモリ（Random  Access  Memory，ＲＡＭ）、フラッシュメモリ、リード・オンリー・メモリ（Read  Only  Memory，ＲＯＭ）、消去可能なプログラム可能リード・オンリー・メモリ（Erasable  Programmable  Read  Only  Memory，ＥＰＲＯＭ）、電気的消去可能なプログラム可能リード・オンリー・メモリ（Electrically  EPROM，ＥＥＰＲＯＭ）、レジスタ、ハードディスク、リムーバブルハードディスク、コンパクト・ディスク・リード・オンリー・メモリ（ＣＤ−ＲＯＭ）、又は当該技術でよく知られているあらゆる他の形態の記憶媒体に記憶されてよい。例えば、記憶媒体は、プロセッサへ結合され、それにより、プロセッサは、記憶媒体から情報を読み出し、あるいは、情報を記憶媒体に書き込んでよい。確かに、記憶媒体は、プロセッサのコンポーネントであってよい。プロセッサ及び記憶媒体は、ＡＳＩＣに配置されてよい。その上、ＡＳＩＣは、端末デバイスに配置されてよい。確かに、プロセッサ及び記憶媒体は、ディスクリート部品として端末デバイスに存在してもよい。
【０１５７】
図１３は、上記の実施形態におけるネットワークデバイスの可能な略構造図である。図１３に示されるように、ネットワークデバイス１３００は、処理ユニット１３０１及び通信ユニット１３０２を含んでよい。ユニットは、上記の方法の例におけるネットワークデバイスの対応する機能を実行するよう構成されてよい。例えば、処理ユニット１３０１は、指示情報を生成するよう構成され、指示情報は、周波数位置情報又はバンド幅情報のうちの少なくとも１つを示し、周波数位置情報は、第１サブキャリアの番号、第１サブキャリアの絶対無線周波数チャネル番号、又は第１周波数のうちの１つを含み、バンド幅情報は、第１バンド幅、第２サブキャリア数、第１リソースブロック数、又は第２リソースブロックビットマップのうちの１つを含む。通信ユニット１３０２は、指示情報を端末デバイスへ送るよう構成される。
【０１５８】
任意に、指示情報は、第１情報を更に示し、第１情報は、第１リソースによって占有される直交周波数分割多重化ＯＦＤＭシンボルの番号を含む。例えば、番号は、｛０，１，４，７，８，１１｝、｛２，５，６，９｝、｛２，５，９｝、｛１，４，５，８｝、｛０，４，７，１１｝、｛１，４，８｝、｛０，３，６，７，１０｝、又は｛３，６，１０｝を含む。
【０１５９】
任意に、指示情報は、第２情報を更に示し、第２情報は、リソースブロックにおいて第１リソースによって占有されるリソースに関する情報を含み、リソース情報は、サブキャリア数及びサブキャリア番号のうちの少なくとも１つを含む。
【０１６０】
任意に、指示情報は、第３情報を更に示し、第３情報は、リソースブロックにおいて第２リソースによって占有されるリソースに関する情報と、周波数シフトとを含み、リソース情報は、サブキャリア数及びサブキャリア番号のうちの少なくとも１つを含む。
【０１６１】
任意に、指示情報は、第４指示情報を更に示し、第４指示情報は、アンテナポート情報及び周波数シフトを含む。
【０１６２】
本発明のこの実施形態では、ユニット分割は、例であり、論理的な機能分割にすぎないことが留意されるべきである。実際の実施では、他の分割様態が使用されてよい。本発明のこの実施形態における機能ユニットは、１つの処理ユニットに組み込まれてよく、あるいは、ユニットの夫々は、物理的に単独で存在してよく、あるいは、２つ以上のユニットが１つのユニットに一体化されてよい。一体化されたユニットは、ハードウェアの形で実施されてよく、あるいは、ソフトウェア機能ユニットの形で実施されてよい。
【０１６３】
一体化されたユニットが使用される場合に、図１４は、上記の実施形態におけるネットワークデバイスの他の可能な略構造図である。図１４に示されるように、ネットワークデバイス１４００は、処理ユニット１４０２及び通信ユニット１４０３を含んでよい。処理ユニット１４０２は、ネットワークデバイスの動作を制御及び管理するよう構成されてよい。例えば、処理ユニット１４０２は、図３におけるステップ３０１及び３０２、図４におけるステップ４０１及び４０２、図８におけるステップ８０１及び８０２、並びに図９におけるステップ９０１及び９０２を実行することにおいてネットワークデバイスを支援するよう構成され、かつ／あるいは、本明細書で記載される技術の他のプロセスを実行するよう構成される。通信ユニット１４０３は、他のネットワークエンティティと通信すること、例えば、図３乃至図９に示される端末デバイスのような機能ユニット又はネットワークエンティティと通信することにおいてネットワークデバイスを支援するよう構成される。ネットワークデバイスは、ネットワークデバイスのプログラムコード及びデータを記憶するよう構成された記憶ユニット１４０１を更に含んでよい。
【０１６４】
処理ユニット１４０２は、プロセッサ又はコントローラ、例えば、中央演算処理装置（Central  Processing  Unit，ＣＰＵ）、汎用プロセッサ、デジタル信号プロセッサ（Digital  Signal  Processor，ＤＳＰ）、特定用途向け集積回路（Application-Specific  Integrated  Circuit，ＡＳＩＣ）、フィールド・プログラマブル・ゲート・アレイ（Field  Programmable  Gate  Array，ＦＰＧＡ）、他のプログラム可能な論理デバイス、トランジスタ論理デバイス、ハードウェア部品、又はそれらの組み合わせであってよい。処理ユニット１４０２は、本願で開示される内容を参照して記載される様々な例となる論理ブロック、モジュール、及び回路を実装又は実行してよい。代替的に、プロセッサは、コンピューティング機能を実装する組み合わせ、例えば、１つ以上のマイクロプロセッサの組み合わせ、又はＤＳＰとマイクロプロセッサとの組み合わせであってよい。通信ユニット１４０３は、トランシーバであってよく、独立している受信器及び送信器を含んでもよい。記憶ユニット１４０１はメモリであってよい。
【０１６５】
図１５に示されるように、他の実施形態では、ネットワークデバイス１５００は、プロセッサ１５０２、トランシーバ１５０３、及びメモリ１５０１を含んでよい。トランシーバ１５０３、プロセッサ１５０２、及びメモリ１５０１は、互いに接続されてよい。プロセッサは、上記の処理ユニット１４０２の機能を実行してよく、トランシーバの機能は、上記の通信ユニット１４０３のそれと同様であってよく、メモリの機能は、上記の記憶ユニット１４０１のそれと同様であってよい。詳細は、ここで再び記載されない。
【０１６６】
本願で開示される内容と組み合わせて記載される方法又はアルゴリズムステップは、ハードウェアによって実装されてよく、あるいは、ソフトウェア命令を実行することによってプロセッサによって実装されてよい。ソフトウェア命令は、対応するソフトウェアモジュールを含んでよい。ソフトウェアモジュールは、ランダム・アクセス・メモリ（Random  Access  Memory，ＲＡＭ）、フラッシュメモリ、リード・オンリー・メモリ（Read  Only  Memory，ＲＯＭ）、消去可能なプログラム可能リード・オンリー・メモリ（Erasable  Programmable  Read  Only  Memory，ＥＰＲＯＭ）、電気的消去可能なプログラム可能リード・オンリー・メモリ（Electrically  EPROM，ＥＥＰＲＯＭ）、レジスタ、ハードディスク、リムーバブルハードディスク、コンパクト・ディスク・リード・オンリー・メモリ（ＣＤ−ＲＯＭ）、又は当該技術でよく知られているあらゆる他の形態の記憶媒体に記憶されてよい。例えば、記憶媒体は、プロセッサへ結合され、それにより、プロセッサは、記憶媒体から情報を読み出し、あるいは、情報を記憶媒体に書き込んでよい。確かに、記憶媒体は、プロセッサのコンポーネントであってよい。プロセッサ及び記憶媒体は、ＡＳＩＣに配置されてよい。その上、ＡＳＩＣは、ネットワークデバイスに配置されてよい。確かに、プロセッサ及び記憶媒体は、ディスクリート部品としてネットワークデバイスに存在してもよい。
【０１６７】
実施プロセスにおいて、上記の方法におけるステップは、プロセッサ内のハードウェア集積論理回路を使用することによって、又はソフトウェアの形で命令を使用することによって、実装されてよい。本願の実施形態を参照して開示される方法のステップは、ハードウェアプロセッサによって直接実行されてよく、あるいは、プロセッサ内のハードウェアとソフトウェアモジュールとの組み合わせを使用することによって実行されてもよい。ソフトウェアモジュールは、ランダム・アクセス・メモリ、フラッシュメモリ、リード・オンリー・メモリ、プログラム可能リード・オンリー・メモリ、電気的消去可能なプログラム可能メモリ、又はレジスタのような、当該技術における成熟した記憶媒体に配置されてよい。記憶媒体はメモリに配置され、プロセッサは、メモリ内の情報を読み出し、プロセッサのハードウェアとともに上記の方法におけるステップを完了する。繰り返しを避けるために、詳細は、ここで再び記載されない。
【０１６８】
「第１」、「第２」、「第３」、「第４」及び様々な数は、説明しやすくするための差別化のために使用されているにすぎず、本発明の実施形態の適用範囲に対する制限とみなされない。
【０１６９】
本明細書中の語「及び／又は」は、単に、関連するオブジェクト間の関連関係を記載し、３つの関係が存在する可能性があることを表す。例えば、Ａ及び／又はＢは、次の３つの場合：Ａのみが存在する、Ａ及びＢの両方が存在する、Ｂのみが存在する、を表し得る。その上、本明細書中の文字「／」は、一般に、関連するオブジェクト間の“論理和”関係を示す。
【０１７０】
上記のプロセスの順序番号は、本願の様々な実施形態における実行順序を意味しないことが理解されるべきである。プロセスの実行順序は、プロセスの機能及び内部ロジックに基づいて決定されるべきであり、本発明の実施形態の実施プロセスに対するいかなる制限とも解釈されるべきではない。
【０１７１】
当業者であれば、本明細書で開示される実施形態で記載される実例となる論理ブロック（illustrative  logical  block）及びステップ（step）と組み合わせて、電子ハードウェア又はコンピュータソフトウェアと電子ハードウェアとの組み合わせによって実装されてよいと気づき得る。機能がハードウェア又はソフトウェアによって実行されるかどうかは、技術的解決法の特定の用途及び設計制約に依存する。当業者であれば、特定の用途ごとに、異なる方法を使用して、記載されている機能を実施し得るが、実施は、本願の適用範囲を超えることが考えられるべきではない。
【０１７２】
明らかに当業者に理解されるように、便宜上、簡潔な記載のために、上記のシステム、装置、及びユニットの詳細な差動プロセスについては、上記の方法実施形態における対応するプロセスが参照されてよく、詳細は、ここで再び記載されない。
【０１７３】
上記の実施形態の全部又は一部は、ソフトウェア、ハードウェア、ファームウェア、又はそれらの任意の組み合わせを使用することによって実装されてよい。ソフトウェアが実施形態を実装するために使用されるとき、実施形態の全部又は一部は、コンピュータプログラム製品の形で実装されてよい。コンピュータプログラム製品は、１つ以上のコンピュータ命令を含む。コンピュータプログラム命令がコンピュータでロード及び実行されるとき、本発明の実施形態に従うプロシージャ又は機能の全部又は一部が生成される。コンピュータは、汎用コンピュータ、専用コンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ送られてもよい。例えば、コンピュータ命令は、ウェブサイト、コンピュータ、サーバ、又はデータセンタから、他のウェブサイト、コンピュータ、サーバ、又はデータセンタへ有線（例えば、同軸ケーブル、光ファイバ、若しくはデジタル加入者回線（ＤＳＬ））又は無線（例えば、赤外線、電波、若しくはマイクロ波）方式で送られてよい。コンピュータ可読記憶媒体は、コンピュータによってアクセス可能な任意の使用可能な媒体、又はサーバ若しくはデータセンタなどの、１つ以上の使用可能な媒体を組み込むデータ記憶デバイスであってよい。使用可能な媒体は、磁気媒体（例えば、フロッピーディスク、ハードディスク、若しくは磁気テープ）、光学媒体（例えば、ＤＶＤ）、半導体媒体（例えば、固体状態ドライブSolid  State  Disk（ＳＳＤ））、又はそのようなものであってよい。
【０１７４】
本願は、２０１７年１１月１７日付けで「INFORMATION  INDICATION  METHOD,  TERMINAL  DEVICE,  AND  NETWORK  DEVICE」と題されて中国特許庁に出願された中国特許出願第２０１７１１１４８３８６．０号に基づく優先権を主張する。なお、この中国特許出願は、その全文を参照により本願に援用される。
【図１】
2021503813.tif 000005
【図２】
2021503813.tif 000006
【図３】
2021503813.tif 000007
【図４】
2021503813.tif 000008
【図５】
2021503813.tif 000009
【図６】
2021503813.tif 000010
【図７】
2021503813.tif 000011
【図８】
2021503813.tif 000012
【図９】
2021503813.tif 000013
【図１０】
2021503813.tif 000014
【図１１】
2021503813.tif 000015
【図１２】
2021503813.tif 000016
【図１３】
2021503813.tif 000017
【図１４】
2021503813.tif 000018
【図１５】
2021503813.tif 000019
【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
情報指示方法であって、
端末デバイスによってネットワークデバイスから指示情報を受け取ることであり、該指示情報は、第１サブキャリアの位置及び第１リソースブロック数を示す、前記受け取ることと、
前記端末デバイスによって前記指示情報に基づいて第１リソースを決定することであり、該第１リソースは、第１システムにおいてリファレンス信号を受信するために第２システムにおいてリザーブされるべきである、前記決定することと
を有し、
前記第１サブキャリアは、前記第１システムの中心サブキャリアに対応して前記第２システムにあり、前記第１リソースブロック数は、前記第１システムのシステムバンド幅のリソースブロック数である、
方法。
【請求項２】
前記指示情報は、前記第１サブキャリアを決定するために使用される番号を有する、
請求項１に記載の方法。
【請求項３】
前記指示情報は、第４指示情報を更に示し、該第４指示情報は、アンテナポート情報及び周波数シフトを有する、
請求項１又は２に記載の方法。
【請求項４】
前記第１リソースは、前記第１システムにおけるセル固有リファレンス信号（ＣＲＳ）のために前記第２システムにおいてリザーブされるべきリソースである、
請求項１乃至３のうちいずれか一項に記載の方法。
【請求項５】
前記第１システムはＬＴＥシステムであり、前記第２システムはＮＲシステムである、
請求項１乃至４のうちいずれか一項に記載の方法。
【請求項６】
前記第１システムの前記中心サブキャリアに対応する前記第２システムにおける第１サブキャリアの左側及び右側での前記第１リソースの位置は、異なる、
請求項１乃至５のうちいずれか一項に記載の方法。
【請求項７】
情報指示方法であって、
ネットワークデバイスによって指示情報を端末デバイスへ送ることであり、該指示情報は、第１サブキャリアの位置及び第１リソースブロック数を示し、前記指示情報は、第１システムにおいてリファレンス信号を受信するために、前記端末デバイスによってアクセスされる第２システムにおいて第１リソースをリザーブするよう前記端末デバイスに示す、前記送ることを有し、
前記第１サブキャリアは、前記第１システムの中心サブキャリアに対応して、前記第２システムにあり、前記第１リソースブロック数は、前記第１システムのシステムバンド幅のリソースブロック数である、
方法。
【請求項８】
前記指示情報は、前記第１サブキャリアを決定するために使用される番号を有する、
請求項１に記載の方法。
【請求項９】
前記指示情報は、第４指示情報を更に示し、該第４指示情報は、アンテナポート情報及び周波数シフトを有する、
請求項７又は８に記載の方法。
【請求項１０】
前記第１リソースは、前記第１システムにおけるセル固有リファレンス信号（ＣＲＳ）のために前記第２システムにおいてリザーブされるべきリソースである、
請求項７乃至９のうちいずれか一項に記載の方法。
【請求項１１】
前記第１システムはＬＴＥシステムであり、前記第２システムはＮＲシステムである、
請求項７乃至１０のうちいずれか一項に記載の方法。
【請求項１２】
前記第１システムの前記中心サブキャリアに対応する前記第２システムにおける第１サブキャリアの左側及び右側での前記第１リソースの位置は、異なる、
請求項７乃至１１のうちいずれか一項に記載の方法。
【請求項１３】
前記ネットワークデバイスによって前記指示情報を生成することを更に有する、
請求項７乃至１２のうちいずれか一項に記載の方法。
【請求項１４】
端末デバイスであって、
ネットワークデバイスから指示情報を受け取るよう構成される受信器であり、該指示情報は、第１サブキャリアの番号及び第１リソースブロック数を示す、前記受信器と、
前記指示情報に基づいて第１リソースを決定するよう構成されるプロセッサであり、該第１リソースは、第１システムにおいてリファレンス信号を受信するために第２システムにおいてリザーブされるべきリソースである、前記プロセッサと
を有し、
前記第１サブキャリアの番号は、前記第１システムの中心サブキャリアに対応する、前記第２システムにおけるサブキャリアの番号であり、前記第１リソースブロック数は、前記第１システムのシステムバンド幅のリソースブロック数である、
端末デバイス。
【請求項１５】
前記指示情報は、第４指示情報を更に示し、該第４指示情報は、アンテナポート情報及び周波数シフトを有する、
請求項１４に記載の端末デバイス。
【請求項１６】
前記第１リソースは、前記第１システムにおけるセル固有リファレンス信号（ＣＲＳ）のために前記第２システムにおいてリザーブされるべきリソースである、
請求項１４又は１５に記載の端末デバイス。
【請求項１７】
前記第１システムはＬＴＥシステムであり、前記第２システムはＮＲシステムである、
請求項１４乃至１６のうちいずれか一項に記載の端末デバイス。
【請求項１８】
前記第１システムの前記中心サブキャリアに対応する前記第２システムにおける第１サブキャリアの左側及び右側での前記第１リソースの位置は、異なる、
請求項１４乃至１７のうちいずれか一項に記載の端末デバイス。
【請求項１９】
ネットワークデバイスであって、
指示情報を端末デバイスへ送るよう構成されるトランシーバであり、該指示情報は、第１サブキャリアの番号及び第１リソースブロック数を示し、前記指示情報は、第１システムにおいてリファレンス信号を受信するために、前記端末デバイスによってアクセスされる第２システムにおいて第１リソースをリザーブするよう前記端末デバイスに示す、前記トランシーバを有し、
前記第１サブキャリアの番号は、前記第１システムの中心サブキャリアに対応する、前記第２システムにおけるサブキャリアの番号であり、前記第１リソースブロック数は、前記第１システムのシステムバンド幅のリソースブロック数である、
ネットワークデバイス。
【請求項２０】
前記指示情報は、第４指示情報を更に示し、該第４指示情報は、アンテナポート情報及び周波数シフトを有する、
請求項１９に記載のネットワークデバイス。
【請求項２１】
前記第１リソースは、前記第１システムにおけるセル固有リファレンス信号（ＣＲＳ）のために前記第２システムにおいてリザーブされるべきリソースである、
請求項１９又は２０に記載のネットワークデバイス。
【請求項２２】
前記第１システムはＬＴＥシステムであり、前記第２システムはＮＲシステムである、
請求項１９乃至２１のうちいずれか一項に記載のネットワークデバイス。
【請求項２３】
前記第１システムの前記中心サブキャリアに対応する前記第２システムにおける第１サブキャリアの左側及び右側での前記第１リソースの位置は、異なる、
請求項１９乃至２２のうちいずれか一項に記載のネットワークデバイス。
【請求項２４】
前記指示情報を生成するよう構成されるプロセッサを更に有する、
請求項１９乃至２３のうちいずれか一項に記載のネットワークデバイス。
【請求項２５】
プロセッサ、トランシーバ、及びメモリを有し、
前記メモリは、命令を記憶し、
前記命令を読み出し実行するときに、前記プロセッサは、請求項１乃至６のうちいずれか一項に記載の方法を実行する、
端末デバイス。
【請求項２６】
プロセッサ、トランシーバ、及びメモリを有し、
前記メモリは、命令を記憶し、
前記命令を読み出し実行するときに、前記プロセッサは、請求項７乃至１３のうちいずれか一項に記載の方法を実行する、
ネットワークデバイス。
【請求項２７】
コンピュータ可読命令を有し、
コンピュータが前記コンピュータ可読命令を読み出し実行するときに、前記コンピュータは、請求項１乃至１３のうちいずれか一項に記載の方法を実行する、
コンピュータ記憶媒体。
【請求項２８】
請求項１４乃至１８のうちいずれか一項に記載の端末デバイスと、
請求項１９乃至２４のうちいずれか一項に記載のネットワークデバイスと
を有する通信ネットワークシステム。
【手続補正２】
【補正対象書類名】明細書
【補正対象項目名】０００２
【補正方法】変更
【補正の内容】
【０００２】
無線通信技術の継続的な発展とともに、ロング・ターム・エボリューション（Long  term  evolution，略してＬＴＥ）及び第５世代移動体通信ネットワーク（The  fifth-generation  mobile  networks，略して５Ｇ）ニュー・ラジオ（New  radio，略してＮＲ）は、６ＧＨｚよりも低い周波数バンドで展開され得る。ＬＴＥ及び５Ｇ  ＮＲが両方とも展開されるシナリオでは、ＬＴＥとＮＲとの間に信号干渉が存在する可能性がある。例えば、ＮＲでのデータ伝送は、ＬＴＥでのリファレンス信号、例えば、セル固有リファレンス信号（Cell-specific  Reference  Signal，略してＣＲＳ）又はチャネル状態情報リファレンス信号（Channel  State  Information  Reference  Signal，略してＣＳＩ−ＲＳ）との干渉を引き起こす可能性がある。ＬＴＥシステムが従来のＬＴＥユーザにサービスを提供し得ることを確かにするために、端末デバイスは、ＬＴＥでのリファレンス信号に対応する位置でＮＲリソースをリザーブ（reserving）する必要がある。例えば、サブキャリア間隔（Subcarrier  Spacing，略してＳＣＳ）が１５ｋＨｚであるＮＲの物理ダウンリンク共有チャネル（Physical  downlink  shared  channel，略してＰＤＳＣＨ）について、端末デバイスは、ＬＴＥ  ＣＲＳのリソース位置に対応するＮＲリソースをリザーブし得る。ＬＴＥシステムでのダウンリンクＣＲＳがＮＲシステムでのダウンリンクデータ信号と干渉するという問題を解決するために、リザーブされるべきリソースの位置は、周波数シフトＶｓｈｉｆｔ（cell-specific  frequency  shift）及びＣＲＳのアンテナポート数（CRS  antenna  port(s)）を使用することによって示され得る。
【手続補正３】
【補正対象書類名】明細書
【補正対象項目名】０００７
【補正方法】変更
【補正の内容】
【０００７】
可能な設計において、バンド幅情報は、第１バンド幅、第２サブキャリア数、第１リソースブロック数、及び第２リソースブロックビットマップのうちの１つを含んでよい。第１バンド幅は、ＬＴＥのような第１システムのバンド幅（又はインデックス）であってよい。第２サブキャリア数は、ＬＴＥのような第１システムのバンド幅に対応するサブキャリア数（又はインデックス）であってよい。第１リソースブロック数は、ＬＴＥのような第１システムのバンド幅に対応するＲＢ数（又はインデックス）であってよい。第２リソースブロックビットマップは、ＮＲのような第２システムのバンド幅部分（Bandwidth  part，略してＢＷＰ）のようなバンド幅に対応するＲＢビットマップであってよい。代替的に、バンド幅情報は、第１リソース単位の第１位置情報、第２リソース単位の第２位置情報、第１リソース単位の数、又は第２リソース単位の数のうちの少なくとも２つを含んでよい。第１リソース単位及び第２リソース単位は、同じであっても又は異なってもよい。例えば、第１リソース単位及び／又は第２リソース単位は、ＲＢ、サブキャリア、又はそのようなものであってよい。すなわち、指示情報は更に、システムの共有周波数の開始サブキャリア又はＲＢの位置（例えば、番号）と、システムの共有周波数の終了サブキャリア又はＲＢの位置とを含んでも、あるいは、システムの共有周波数の開始サブキャリア又はＲＢの位置と、サブキャリア又はＲＢの数とを含んでも、あるいは、システムの共有周波数の終了サブキャリア又はＲＢの位置と、サブキャリア又はＲＢの数とを含んでもよい。従って、端末デバイスは、バンド幅情報に基づいて、システムの共有周波数（共通に使用される周波数）、例えば、ＬＴＥ及びＮＲの共有周波数を決定し得る。
【手続補正４】
【補正対象書類名】明細書
【補正対象項目名】００４７
【補正方法】変更
【補正の内容】
【００４７】
本願において、ネットワークデバイスは、情報を送信及び受信するために使用されるネットワーク側エンティティであってよく、例えば、基地局であってよく、あるいは、送信ポイント（Transmission  Point，略してＴＰ）、送信及び受信ポイント（transmission  and  reception  point，略してＴＲＰ）、リレーデバイス、又は基地局機能を備えた他のネットワークデバイスであってよい。
【手続補正５】
【補正対象書類名】明細書
【補正対象項目名】００４９
【補正方法】変更
【補正の内容】
【００４９】
本願において、基地局は、基地局デバイスとも呼ばれることがあり、無線通信機能を提供するように無線アクセスネットワークに配置されるデバイスである。基地局は、異なる無線アクセスシステムでは異なる名称を有することがある。例えば、基地局は、ユニバーサル・モバイル・テレコミュニケーションズ・システムＵＭＴＳネットワークではノードＢ（NodeB）と呼ばれ、基地局は、ＬＴＥネットワークではエボルブド・ノードＢ（evolved  NodeB，略してｅＮＢ又はｅＮｏｄｅＢ）と呼ばれ、基地局は、将来の５Ｇシステムでは送信及び受信ポイント（Transmission  and  Reception  Point，略してＴＲＰ）、ネットワークノード、又はｇＮｏｄｅＢ（g-NodeB，ｇＮＢ）と呼ばれ得る。詳細は、ここで記載されない。
【手続補正６】
【補正対象書類名】明細書
【補正対象項目名】００７１
【補正方法】変更
【補正の内容】
【００７１】
例えば、第１システムはＬＴＥであり、第２システムはＮＲである。指示情報は、周波数位置情報を示し、それにより、端末デバイスは、周波数位置情報に基づいて、第１サブキャリアの位置又はＬＴＥ中心サブキャリアの位置、例えば、中心サブキャリアの周波数若しくは絶対無線周波数チャネル番号、又は中心サブキャリアに対応するＮＲのサブキャリアの番号を決定し得る。更に、共有周波数に関する情報及び第１リソースの位置を示す情報といった他の情報は、デフォルトでセットされてよく、あるいは、設定されなくても良い。第１リソースの周波数領域位置を示す情報は、周波数シフト及びアンテナポート数、リソースブロックにおいて第１リソースによって占有される周波数領域リソースに関する情報及び周波数シフト、リソースブロックにおいて第１リソースによって占有されるサブキャリアの番号、リソースブロックにおいて第２リソースによって占有される周波数領域リソースに関する情報及び周波数シフト、又はそのようなものを含んでよい。第２リソースは、第１システムにおけるリファレンス信号、例えば、ＬＴＥ  ＣＲＳであってよい。例えば、端末デバイスは、（例えば、ＬＴＥのバンド幅がＮＲシステムのＢＷＰ以上であり、ＮＲ  ＢＷＰの周波数領域位置がＬＴＥのバンド幅の中にあるシナリオにおいて）ＮＲのＢＷＰ全体を共有周波数として使用してよい。アンテナポート数は。デフォルトで｛１，２，４｝の中のいずれか１つ、例えば４にセットされ、周波数シフトは、デフォルトで０から６の中のいずれか１つ、例えば０にセットされる。更に任意に、指示情報は、第１リソースの時間領域位置情報、例えば、ＯＦＤＭシンボルの番号を更に示してよく、あるいは、時間領域位置情報は、デフォルトでセットされてよく、それにより、端末デバイスは、周波数位置情報及び時間領域位置情報に基づいて第１リソースを決定し得る。リソースブロックにおける第１リソースの位置は、ＢＷＰ範囲全体のような共有周波数内の中心サブキャリアの位置の左側及び右側で異なる。
【手続補正７】
【補正対象書類名】明細書
【補正対象項目名】００９３
【補正方法】変更
【補正の内容】
【００９３】
例えば、図６に示されるように、リソースブロックにおいて第１リソースによって占有されるサブキャリアの数は４であり、占有されるサブキャリアの対応する番号は［０，３，６，９］であり（あるいは、リソースブロックにおいて第１リソースによって占有されるサブキャリアの番号は［０，３，６，９］であることが示されてよい）、Ｖｓｈｉｆｔ＝４、ＬＴＥシステムの中心サブキャリアに対応するＮＲシステムのサブキャリアの位置は、Ｎｃ＝４０であり、Ｎｃは、ＮＲシステムで使用されるＢＷＰの中にあり、ＬＴＥ及びＮＲの共有周波数の開始サブキャリアは、Ｎｓ＝４であり、ＬＴＥ及びＮＲの共有周波数の終了サブキャリアは、Ｎｅ＝７６である。この場合に、Ｎｃの左側にある共有周波数部分、すなわち、４から４０の番号を付されたサブキャリアでは、Ｖｓｈｉｆｔ，ＮＲ＝４、そして、各リソースブロックにおける第１リソースの番号は、次のとおりに取得される：Ｖｓｈｉｆｔ，ＮＲ＝４が、番号を得るために［０，３，６，９］内の各番号に加えられ、それから、モジュロ−１２演算が、［４，７，１０，１］を得るように番号に対して行われる。Ｎｃの右側にある共有周波数部分、すなわち、４１から７６の番号を付されたサブキャリアでは、Ｖｓｈｉｆｔ，ＮＲ＝Ｖｓｈｉｆｔ＋１＝５、そして、各リソースブロックにおける第１リソースの番号は、次のとおりに取得される：Ｖｓｈｉｆｔ，ＮＲ＝５が、番号を得るために［０，３，６，９］内の各番号に加えられ、それから、モジュロ−１２演算が、［５，８，１１，２］を得るように番号に対して行われる。次いで、共有周波数の開始サブキャリアＮｓ＝４及びＮＲシステムにおける各サブキャリアの位置に基づいて、Ｎｃの左側でリザーブされる必要があるサブキャリアの番号が［４，７，１０，１３，・・・，２８，３１，３４，３７］（ＢＷＰにおける番号）であり、かつ、Ｎｃの右側でリザーブされる必要があるサブキャリアの番号が［４１，４４，４７，・・・，６５，６８，７１，７４］であることが決定され得る。
【手続補正８】
【補正対象書類名】明細書
【補正対象項目名】０１０６
【補正方法】変更
【補正の内容】
【０１０６】
任意に、アンテナポート情報は、ポート数を含んでよく、例えば、｛１，２，４｝又はポート数のインデックスを使用することによって示される。
【手続補正９】
【補正対象書類名】明細書
【補正対象項目名】０１１２
【補正方法】変更
【補正の内容】
【０１１２】
第１リソースを決定するとき、端末デバイスは、アンテナポート数及びＶｓｈｉｆｔ，ＮＲに基づいて、リザーブされる必要があるサブキャリアの番号を取得する。例えば、端末デバイスは、アンテナポート数及び周波数シフトＶｓｈｉｆｔ，ＮＲに基づいて、かつ、ＬＴＥシステムにおいてＣＲＳサブキャリア位置情報を決定するために使用される式に従って（例えば、この場合に、ＬＴＥシステムにおける時間領域情報、すなわち、ＯＦＤＭシンボルの番号は、デフォルトで０であってよく、全ての周波数シフトは、Ｖｓｈｉｆｔを使用することによって表される）、第３サブキャリア番号情報ｋＴｅｍｐ（バンド幅全体におけるサブキャリア番号、例えば、ＢＷＰにおけるサブキャリア番号）を取得し、それから、中心サブキャリアの位置及びバンド幅情報に基づいて、初期周波数シフトＮｒｅを取得し得る。この場合に、最終的にリザーブされるべきリソースの位置情報、例えば、第１リソースの番号ｋＮＲ（バンド幅全体におけるサブキャリア番号、例えば、ＢＷＰにおけるサブキャリア番号）は、ｋＮＲ＝ｋＴｅｍｐ＋Ｎｒｅである。例えば、図６に示されるように、“アンテナポート”のようなアンテナポート情報は、４であり、Ｖｓｈｉｆｔ＝０、ＬＴＥシステムの中心サブキャリアに対応するＮＲシステムのサブキャリアの位置は、Ｎｃ＝４０であり、Ｎｃは、ＮＲシステムによってダウンリンクユーザに割り当てられているＢＷＰの中にあり、ＬＴＥ及びＮＲの共有周波数の開始サブキャリアは、Ｎｓ＝４であり、ＬＴＥ及びＮＲの共有周波数の終了サブキャリアは、Ｎｅ＝７６であることが考えられる。この場合に、Ｎｃの左側にある共有周波数部分、すなわち、４から４０の番号を付されたサブキャリアでは、Ｖｓｈｉｆｔ，ＮＲ＝０、そして、ＬＴＥにおいてＣＲＳ周波数領域位置を決定する方法に従って求められるサブキャリア位置（ＬＴＥシステムにおける時間領域情報、すなわち、ＯＦＤＭシンボルの番号は、デフォルトで０であってよく、このとき、このデフォルト方式は次に適用され、詳細は再び記載されず、使用される周波数シフトは、Ｖｓｈｉｆｔ，ＮＲである）は、［０，３，６，９，・・・，２４，２７，３０，３３］である。Ｎｃの右側にある共有周波数部分、すなわち、４１から７６の番号を付されたサブキャリアでは、Ｖｓｈｉｆｔ，ＮＲ＝Ｖｓｈｉｆｔ＋１＝１、そして、ＬＴＥにおいてＣＲＳ周波数領域位置を決定する方法に従って求められるサブキャリア位置は、［３７，４０，４３，・・・，６１，６４，６７，７０］である。この場合に、初期周波数シフトは、４サブキャリアである。Ｎｃの左側でＮＲにおいて最終的にリザーブされる必要があるサブキャリアは、ＬＴＥにおいてＣＲＳ位置を計算する方法に従って求められたサブキャリア位置に初期周波数シフト４を加えることによって求められ、［４，７，１０，１３，・・・，２８，３１，３４，３７］であり、Ｎｃの右側でリザーブされる必要があるサブキャリアは、ＬＴＥにおいてＣＲＳ位置を計算する方法に従って求められたサブキャリア位置に初期周波数シフト４を加えることによって求められ、サブキャリアの位置は、［４１，４４，４７，・・・，６５，６８，７１，７４］である。
【手続補正１０】
【補正対象書類名】明細書
【補正対象項目名】０１５３
【補正方法】変更
【補正の内容】
【０１５３】
一体化されたユニットが使用される場合に、図１１は、上記の実施形態における端末デバイスの他の可能な略構造図である。図１１に示されるように、端末デバイス１１００は、処理ユニット１１０２及び通信ユニット１１０３を含んでよい。処理ユニット１１０２は、端末デバイスの動作を制御及び管理するよう構成されてよい。例えば、処理ユニット１１０２は、図３におけるステップ３０３、図４におけるステップ４０３、図８におけるステップ８０３、及び図９におけるステップ９０３を実行することにおいて端末デバイスを支援するよう構成され、かつ／あるいは、本明細書で記載される技術の他のプロセスを実行するよう構成される。通信ユニット１１０３は、他のネットワークエンティティと通信すること、例えば、図３乃至図９に示されるネットワークデバイスのような機能ユニット又はネットワークエンティティと通信することにおいて端末デバイスを支援するよう構成される。端末デバイスは、端末デバイスのプログラムコード及びデータを記憶するよう構成された記憶ユニット１１０１を更に含んでよい。
【国際調査報告】
2021503813.tif 000020
2021503813.tif 000021
2021503813.tif 000022
2021503813.tif 000023